(57)【要約】【課題】  ハイブリッドタイプの空気調和装置において、除霜時間の短縮化を図る。【解決手段】  ＧＨＰ室外熱交換器１３とＥＨＰ室外熱交換器３３とを同時に除霜する。また、同時除霜運転時に、ＥＨＰコンプレッサ３２から吐出された冷媒は、ＧＨＰコンプレッサ１２から吐出された冷媒とともにサブ熱交換器１９に供給され、サブ熱交換器１９にて冷媒が加熱される。このようにＥＨＰコンプレッサ３２から吐出された冷媒もサブ熱交換器１９にて加熱されるため、ＥＨＰ室外熱交換器３３の除霜が促進される。これにより、除霜時間の短縮を図ることができる。【選択図】  図４
2019027632.tif 000002
【特許請求の範囲】
【請求項１】
内燃機関と、第一吸入口及び第一吐出口を有し前記内燃機関の駆動により作動して前記第一吸入口から冷媒を吸入するとともに吸入した冷媒を圧縮して圧縮した冷媒を前記第一吐出口から吐出するＧＨＰコンプレッサと、暖房運転時に前記ＧＨＰコンプレッサの前記第一吸入口に接続されるとともに冷房運転時に前記ＧＨＰコンプレッサの前記第一吐出口に接続され、内部を流通する冷媒を外気と熱交換させるＧＨＰ室外熱交換器と、前記ＧＨＰ室外熱交換器と前記ＧＨＰコンプレッサとの接続状態を、前記ＧＨＰ室外熱交換器が前記第一吸入口に接続される暖房時接続状態と前記第一吐出口に接続される冷房時接続状態とに切替可能な第一切替弁と、を有するＧＨＰ室外機と、
電動機と、第二吸入口及び第二吐出口を有し前記電動機の駆動により作動して前記第二吸入口から冷媒を吸入するとともに吸入した冷媒を圧縮して圧縮した冷媒を前記第二吐出口から吐出するＥＨＰコンプレッサと、暖房運転時に前記ＥＨＰコンプレッサの前記第二吸入口に接続されるとともに冷房運転時に前記ＥＨＰコンプレッサの前記第二吐出口に接続され、内部を流通する冷媒を外気と熱交換させるＥＨＰ室外熱交換器と、前記ＥＨＰ室外熱交換器と前記ＥＨＰコンプレッサとの接続状態を、前記ＥＨＰ室外熱交換器が前記第二吸入口に接続される暖房時接続状態と前記第二吐出口に接続される冷房時接続状態とに切替可能な第二切替弁と、を有するＥＨＰ室外機と、
前記第一切替弁及び前記第二切替弁の切替状態が共に前記暖房時接続状態であるときに、前記ＧＨＰコンプレッサの前記第一吐出口及び前記ＥＨＰコンプレッサの前記第二吐出口に接続されるとともに、前記第一切替弁及び前記第二切替弁の切替状態が共に前記冷房時接続状態であるときに、前記ＧＨＰコンプレッサの前記第一吸入口及び前記ＥＨＰコンプレッサの前記第二吸入口に接続され、内部を流通する冷媒を室内空気と熱交換させる室内熱交換器と、前記室内熱交換器内を流通する冷媒の流量を調整するとともに前記室内熱交換器から流出した冷媒又は前記室内熱交換器に流入する冷媒を膨張させる膨張弁と、を有する室内機と、
前記室内熱交換器と前記ＧＨＰ室外熱交換器とを接続する第一接続配管と、
前記第一接続配管と前記ＥＨＰ室外熱交換器とを接続する第二接続配管と、
前記第一切替弁の切替状態が前記冷房時接続状態であるときに前記室内熱交換器を前記ＧＨＰコンプレッサの前記第一吸入口に接続する第三接続配管と、
前記第二切替弁の切替状態が前記冷房時接続状態であるときに前記第三接続配管と前記ＥＨＰコンプレッサの前記第二吸入口とを接続する第四接続配管と、
前記ＧＨＰ室外機に備えられ、前記第一接続配管と前記第三接続配管とを接続するサブ配管と、
前記ＧＨＰ室外機に備えられ、前記サブ配管中に介装されるとともに、内部を流れる冷媒を前記内燃機関の駆動により得られる熱により加熱するサブ熱交換器と、
前記第一切替弁、前記第二切替弁、及び前記膨張弁を制御する制御装置と、
を備え、
前記制御装置は、前記ＧＨＰ室外熱交換器及び前記ＥＨＰ室外熱交換器を同時に除霜する同時除霜処理を実行することができるように構成され、
前記同時除霜処理にて、前記制御装置は、前記第一切替弁及び前記第二切替弁の接続状態を前記冷房時接続状態に切り替える接続状態切替処理と、前記膨張弁を全閉作動させる膨張弁全閉処理と、前記ＧＨＰ室外熱交換器と前記ＥＨＰ室外熱交換器とが同時に除霜されるように前記ＧＨＰコンプレッサと前記ＥＨＰコンプレッサを作動させる同時除霜運転処理と、を実行する、
空気調和装置。
【請求項２】
請求項１に記載の空気調和装置において、
前記ＧＨＰ室外機に備えられ、前記第一吐出口と前記第一吸入口とを接続するホットガスバイパス配管と、
前記ホットガスバイパス配管に介装され、前記ホットガスバイパス配管内の冷媒の流通を許可又は遮断するホットガスバイパス弁と、を備え、
前記制御装置は、前記同時除霜処理にて、少なくとも前記ＥＨＰ室外熱交換器の除霜が完了していない場合に前記ホットガスバイパス弁を開弁作動させるホットガスバイパス弁開弁処理を実行する、空気調和装置。
【請求項３】
請求項１又は２に記載の空気調和装置置において、
前記制御装置は、前記同時除霜処理にて、前記同時除霜運転処理の実行前に前記ホットガスバイパス弁を閉作動させるホットガスバイパス弁閉弁処理を実行する、空気調和装置。
【発明の詳細な説明】
【技術分野】
【０００１】
本発明は、空気調和装置に関する。
【背景技術】
【０００２】
室外機及び室内機を備える空気調和装置の暖房運転時に、室外機の室外熱交換器に着霜することがある。特に、外気温が極めて低い場合に、室外熱交換器に着霜する可能性が高い。室外熱交換器が着霜した場合、除霜運転が実行される。特許文献１は、複数台の室外機を有する空気調和装置において、少なくとも一つの室外機が備える室外熱交換器が除霜すべき状態にあるときに、全ての室外機において除霜運転を同時に開始する、除霜方法を開示する。
【先行技術文献】
【特許文献】
【０００３】
【特許文献１】特開平６−３１３６５３号公報
【発明の概要】
【０００４】
（発明が解決しようとする課題）
室外熱交換器の除霜方法として、冷媒回路内を循環する冷媒の循環方向を、暖房運転時に循環する方向から冷房運転時に循環する方向に切り替える逆サイクル方式が、良く知られている。この方式によれば、空気調和装置の運転状態が冷房運転状態になるので、暖房時に冷風が室内に供給される。そのため快適性が損なわれる可能性がある。快適性をできるだけ損なわないように暖房運転状態で除霜を実行する方法（ホットガス除霜方法）も知られているが、この方法による除霜能力は低いため短時間で除霜を完了することができない。よって、短時間で除霜を完了させるためには、逆サイクル方式による除霜方法の方が、有利である。
【０００５】
ところで、空気調和装置の室外機は、コンプレッサと、コンプレッサを作動させるための駆動源と、コンプレッサの作動により冷媒が流出入する室外熱交換器とを備える。駆動源として、ガスエンジン等の内燃機関や、モータ（電動機）を例示できる。
【０００６】
駆動源として内燃機関を用いた室外機と、駆動源としてモータを用いた室外機との双方を備えるハイブリッドタイプの空気調和装置も提案されている。このようなハイブリッドタイプの空気調和装置において、駆動源として内燃機関を用いた室外機の室外熱交換器を除霜する場合、内燃機関の熱を利用することができる。このため除霜時間の短縮化を図ることができる。しかし、駆動源としてモータを用いた室外機の室外熱交換器を除霜する場合、駆動源の熱を利用することができない。従って、ハイブリッドタイプの空気調和装置において、駆動源としてモータを用いた室外機に備えられる室外熱交換器を逆サイクル方式により除霜しても、除霜が完了するまでに比較的長い時間を要していた。
【０００７】
本発明は、除霜時間の短縮化を図ることができるように構成されたハイブリッドタイプの空気調和装置を提供する。
【課題を解決するための手段】
【０００８】
本発明に係る空気調和装置（１）は、ＧＨＰ室外機（１０）と、ＥＨＰ室外機（３０）と、室内機（４０）と、制御装置（６０）とを備えるハイブリッドタイプの空気調和装置である。ＧＨＰ室外機は、内燃機関（１１）と、ＧＨＰコンプレッサ（１２）と、ＧＨＰ室外熱交換器（１３）と、第一切換弁（１６）とを有する。ＧＨＰコンプレッサは、第一吸入口（１２ａ）及び第一吐出口（１２ｂ）を有し内燃機関の駆動により作動して第一吸入口から冷媒を吸入するとともに吸入した冷媒を圧縮して圧縮した冷媒を第一吐出口から吐出する。ＧＨＰ室外熱交換器は、暖房運転時にＧＨＰコンプレッサの第一吸入口に接続されるとともに冷房運転時にＧＨＰコンプレッサの第一吐出口に接続され、内部を流通する冷媒を外気と熱交換させる。第一切換弁は、ＧＨＰ室外熱交換器とＧＨＰコンプレッサとの接続状態を、ＧＨＰ室外熱交換器が第一吸入口に接続される暖房時接続状態と第一吐出口に接続される冷房時接続状態とに切替可能に構成される。また、ＥＨＰ室外機は、電動機（３１）と、ＥＨＰコンプレッサ（３２）と、ＥＨＰ室外熱交換器（３３）と、第二切換弁（３６）とを有する。ＥＨＰコンプレッサは、第二吸入口（３２ａ）及び第二吐出口（３２ｂ）を有し電動機の駆動により作動して第二吸入口から冷媒を吸入するとともに吸入した冷媒を圧縮して圧縮した冷媒を第二吐出口から吐出する。ＥＨＰ室外熱交換器は、暖房運転時にＥＨＰコンプレッサの第二吸入口に接続されるとともに冷房運転時にＥＨＰコンプレッサの第二吐出口に接続され、内部を流通する冷媒を外気と熱交換させる。第二切換弁は、ＥＨＰ室外熱交換器とＥＨＰコンプレッサとの接続状態を、ＥＨＰ室外熱交換器が第二吸入口に接続される暖房時接続状態と第二吐出口に接続される冷房時接続状態とに切替可能に構成される。室内機は、室内熱交換器（４１）と、膨張弁（４３）を有する。室内熱交換器は、第一切替弁及び第二切替弁の切替状態が共に暖房時接続状態であるときに、ＧＨＰコンプレッサの第一吐出口及びＥＨＰコンプレッサの第二吐出口に接続されるとともに、第一切替弁及び第二切替弁の切替状態が共に冷房時接続状態であるときに、ＧＨＰコンプレッサの第一吸入口及びＥＨＰコンプレッサの第二吸入口に接続され、内部を流通する冷媒を室内空気と熱交換させる。膨張弁は、室内熱交換器内を流通する冷媒の流量を調整するとともに室内熱交換器から流出した冷媒又は室内熱交換器に流入する冷媒を膨張させる。
【０００９】
また、本発明に係る空気調和装置は、室内熱交換器とＧＨＰ室外熱交換器とを接続する第一接続配管（１５ｃ、５１、４２ａ）と、第一接続配管（５１）とＥＨＰ室外熱交換器とを接続する第二接続配管（５３、３５ｃ）と、第一切替弁の切替状態が冷房時接続状態であるときに室内熱交換器をＧＨＰコンプレッサの第一吸入口に接続する第三接続配管（４２ｂ、５２、１５ｆ、１５ｄ、１５ｅ）と、第二切替弁の切替状態が冷房時接続状態であるときに第三接続配管とＥＨＰコンプレッサの第二吸入口とを接続する第四接続配管（５４、３５ｆ、３５ｄ、３５ｅ）と、ＧＨＰ室外機に備えられ、第一接続配管（１５ｃ）と第三接続配管（１５ｄ）とを接続するサブ配管（１５ｇ）と、ＧＨＰ室外機に備えられ、サブ配管中に介装されるとともに、内部を流れる冷媒を内燃機関の駆動により得られる熱により加熱するサブ熱交換器（１９）と、を有する。
【００１０】
また、本発明に係る空気調和装置が備える制御装置は、第一切替弁、第二切替弁、及び膨張弁を制御する。この制御装置は、ＧＨＰ室外熱交換器及びＥＨＰ室外熱交換器を同時に除霜する同時除霜処理を実行することができるように構成される。そして、同時除霜処理にて、制御装置は、第一切替弁及び第二切替弁の接続状態を冷房時接続状態に切り替える接続状態切替処理（Ｓ３１）と、膨張弁を全閉作動させる膨張弁全閉処理（Ｓ３３）と、ＧＨＰ室外熱交換器とＥＨＰ室外熱交換器とが同時に除霜されるようにＧＨＰコンプレッサとＥＨＰコンプレッサを作動させる同時除霜運転処理（Ｓ３５）と、を実行する。
【００１１】
本発明に係る空気調和装置によれば、制御装置が同時除霜処理を実行した場合、第一切替弁及び第二切替弁の切替状態が冷房時接続状態にされる。つまり、逆サイクル方式により除霜処理が実行される。このため、同時除霜処理にてＧＨＰコンプレッサの第一吐出口から吐出される高温高圧のガス冷媒がＧＨＰ室外熱交換器に供給されてＧＨＰ室外熱交換器が加熱される。これによりＧＨＰ室外熱交換器が除霜される。また、同時除霜処理にてＥＨＰコンプレッサの第二吐出口から吐出される高温高圧のガス冷媒がＥＨＰ室外熱交換器に供給されてＥＨＰ室外熱交換器が加熱される。これによりＥＨＰ室外熱交換器が除霜される。
【００１２】
また、同時除霜処理にてＧＨＰ室外熱交換器を流出した冷媒は、第一接続配管に流入し、さらに第一接続配管からサブ配管に流入する。そして、サブ配管に介装されたサブ熱交換器にて内燃機関の駆動により得られる熱により冷媒が加熱される。こうしてサブ熱交換器にて加熱された冷媒が、第三接続配管に流入し、第三接続配管からＧＨＰコンプレッサの第一吸入口に吸入される。このように、同時除霜処理にてＧＨＰ室外熱交換器を流れる冷媒がサブ熱交換器で加熱されることにより、より温度の高い冷媒をＧＨＰ室外熱交換器に供給することができる。これにより、ＧＨＰ室外熱交換器の除霜が促進される。
【００１３】
また、同時除霜処理にてＥＨＰ室外熱交換器を流出した冷媒は、第二接続配管を経由して第一接続配管に流入し、さらに、第一接続配管からサブ配管に流入する。そして、サブ配管に介装されたサブ熱交換器にて内燃機関の駆動により得られる熱により冷媒が加熱される。こうしてサブ熱交換器にて加熱された冷媒が、第三接続配管に流入し、さらに、第三接続配管から第四接続配管に流れ、第四接続配管からＥＨＰコンプレッサの第二吸入口に吸入される。このように、同時除霜処理にてＥＨＰ室外熱交換器を流れる冷媒も、サブ熱交換器で加熱されるため、より温度の高い冷媒をＥＨＰ室外熱交換器に供給することができる。このため、ＥＨＰ室外熱交換器の除霜が促進される。
【００１４】
このように、本発明によれば、ＧＨＰ室外機及びＥＨＰ室外機を備える空気調和装置の除霜処理において、ＧＨＰ室外熱交換器の除霜のみならず、ＥＨＰ室外熱交換器の除霜にも、サブ熱交換器を利用することができる。このため、除霜時間の短縮化を図ることができるハイブリッドタイプの空気調和装置を提供することができる。
【００１５】
また、本発明に係る空気調和装置は、ＧＨＰ室外機に備えられ、第一吐出口と第一吸入口とを接続するホットガスバイパス配管（１５ｈ）と、ホットガスバイパス配管に介装され、ホットガスバイパス配管内の冷媒の流通を許可又は遮断するホットガスバイパス弁（２１）と、を備えるとよい。そして、制御装置は、同時除霜処理にて、少なくともＥＨＰ室外熱交換器の除霜が完了していない場合にホットガスバイパス弁を開弁作動させるホットガスバイパス弁開弁処理（Ｓ３７）を実行するとよい。これによれば、ＥＨＰ室外熱交換器の除霜が完了していない場合にホットガスバイパス弁が開くことにより、ＧＨＰコンプレッサの第一吐出口から吐出された冷媒の一部が、ホットガスバイパス配管を経由して、ＧＨＰ室外熱交換器及びサブ熱交換器を通ることなくＧＨＰコンプレッサの第一吸入口に吸入される。このため、同時除霜処理時にＧＨＰコンプレッサからサブ熱交換器に供給される冷媒の流量が減少する。よって、ＥＨＰコンプレッサからサブ熱交換器に供給される冷媒の流量が相対的に増加し、その結果、ＥＨＰ室外熱交換器の除霜をより一層促進することができる。
【００１６】
また、制御装置は、同時除霜処理にて、同時除霜運転処理の実行前にホットガスバイパス弁を閉作動させるホットガスバイパス弁閉弁処理（Ｓ３４）を実行するとよい。これによれば、同時除霜運転処理の前にホットガスバイパス弁を閉じておくことにより、ＧＨＰコンプレッサの第一吐出口から吐出された冷媒が効率良くサブ熱交換器にて加熱される。このため、ＧＨＰ室外熱交換器の除霜をより一層促進することができる。
【図面の簡単な説明】
【００１７】
【図１】本実施形態に係る空気調和装置の概略構成を示す図である。
【図２】除霜開始判定処理ルーチンの流れを示すフローチャートである。
【図３】除霜準備処理ルーチンの流れを示すフローチャートである。
【図４】同時除霜処理ルーチンの流れを示すフローチャートである。
【図５】同時除霜処理時における冷媒の流れが示された、本実施形態に係る空気調和装置の概略図である。
【図６】ＥＨＰ単独除霜処理ルーチンの流れを示すフローチャートである。
【図７】ＧＨＰ単独除霜処理ルーチンの流れを示すフローチャートである。
【発明を実施するための形態】
【００１８】
以下、本発明の実施形態に係る空気調和装置について、図面を参照して説明する。図１は、本実施形態に係る空気調和装置の概略構成を示す図である。本実施形態に係る空気調和装置は、暖房運転及び冷房運転を実施することができるように構成される。暖房運転の実施により室内が暖房され、冷房運転の実施により室内が冷房される。図１に示すように、本実施形態に係る空気調和装置１は、ＧＨＰ室外機１０と、ＥＨＰ室外機３０と、室内機４０と、制御装置６０とを備える。
【００１９】
ＧＨＰ室外機１０は、ガスエンジン１１（内燃機関）と、コンプレッサと、冷媒回路を構成する複数の配管と、空調に必要な各機器を有する。各機器には、室外熱交換器、四方弁、室外機ファン、アキュムレータ、サブ熱交換器、流量調整弁、ホットガスバイパス弁が含まれる。本実施形態において、ＧＨＰ室外機１０に備えられる配管、コンプレッサ、室外熱交換器、四方弁、室外機ファン、流量調整弁、アキュムレータに、接頭語として「ＧＨＰ」が付与される。従って、ＧＨＰ室外機１０は、ガスエンジン１１、ＧＨＰコンプレッサ１２、ＧＨＰ室外熱交換器１３、複数のＧＨＰ配管（１５ａ〜１５ｈ）、ＧＨＰ四方弁１６、ＧＨＰ室外機ファン１７、ＧＨＰアキュムレータ１８、サブ熱交換器１９、ＧＨＰ流量調整弁（ＧＨＰ第一流量調整弁２０ａ、ＧＨＰ第二流量調整弁２０ｂ）、ホットガスバイパス弁２１を備えることになる。
【００２０】
ガスエンジン１１は、例えばプロパンガス等の可燃性ガスを燃料として駆動する。ガスエンジン１１は出力軸１１ａを備える。ガスエンジン１１が駆動すると、出力軸１１ａが回転する。ガスエンジン１１の出力軸１１ａには、クラッチ１４を介してＧＨＰコンプレッサ１２が接続される。
【００２１】
ＧＨＰコンプレッサ１２は、ガスエンジン１１が駆動して出力軸１１ａが回転することにより作動する。ＧＨＰコンプレッサ１２は、第一吸入口１２ａ及び第一吐出口１２ｂを有する。ＧＨＰコンプレッサ１２が作動すると、第一吸入口１２ａから低圧のガス冷媒を吸入し、吸入したガス冷媒を圧縮する。そして、圧縮した高圧のガス冷媒を第一吐出口１２ｂから吐出する。
【００２２】
ＧＨＰコンプレッサ１２の第一吐出口１２ｂは、ＧＨＰ第一配管１５ａを介してＧＨＰ四方弁１６に接続される。ＧＨＰ四方弁１６が本発明の第一切替弁に相当する。ＧＨＰ四方弁１６は、４つのポート（第一ポート１６１、第二ポート１６２、第三ポート１６３、第四ポート１６４）を有する中空状の本体部と、本体部内を移動可能な可動部とを備える。可動部によって特定の２つのポートとそれ以外の２つのポートが接続されるように、本体部内の空間が仕切られる。また、可動部が移動することにより、接続されるポートが切り替えられる。ＧＨＰ四方弁１６の切換状態は、制御装置６０により制御される。ＧＨＰ第一配管１５ａは、ＧＨＰ四方弁１６の第一ポート１６１に接続される。
【００２３】
ＧＨＰ四方弁１６の第二ポート１６２は、ＧＨＰ第二配管１５ｂを介してＧＨＰ室外熱交換器１３に接続される。ＧＨＰ室外熱交換器１３は、第一入出力ポート１３ａ及び第二入出力ポート１３ｂを備える。第一入出力ポート１３ａにＧＨＰ第二配管１５ｂが接続される。また、ＧＨＰ室外熱交換器１３は、第一入出力ポート１３ａと第二入出力ポート１３ｂを接続する熱交換チューブ及び熱交換チューブの回りに配設された熱交換フィンを備える。ＧＨＰ室外熱交換器１３は、熱交換チューブ内を流れる冷媒を外気と熱交換させる機能を有する。
【００２４】
また、ＧＨＰ室外熱交換器１３に近接した位置にＧＨＰ室外機ファン１７が設置される。ＧＨＰ室外機ファン１７にはファンモータが取り付けられており、このファンモータの駆動によりＧＨＰ室外機ファン１７が回転する。ＧＨＰ室外機ファン１７が回転することにより、ＧＨＰ室外熱交換器１３に外気が供給される。
【００２５】
ＧＨＰ室外熱交換器１３の第二入出力ポート１３ｂは、ＧＨＰ第三配管１５ｃの一方端に接続される。ＧＨＰ第三配管１５ｃの他方端は、例えば、ＧＨＰ室外機１０のハウジングに設けられた液管ジョイント１０ａに接続される。また、図１からわかるように、ＧＨＰ第三配管１５ｃは、途中で２つの配管（Ｌ１，Ｌ２）に分岐した部分を有する。一方の配管Ｌ１にはＧＨＰ第二流量調整弁２０ｂが介装され、他方の配管Ｌ２には逆止弁２０ｃが介装される。暖房運転時には冷媒は配管Ｌ１を流れ、冷房運転時には冷媒は配管ｌ２を流れる。配管Ｌ１に介装されたＧＨＰ第二流量調整弁２０ｂは、開度調整可能に構成されており、配管Ｌ１（ＧＨＰ第三配管１５ｃ）を通ってＧＨＰ室外熱交換器１３に流入する冷媒の流量を調整する。また、逆止弁２０ｃは、ＧＨＰ室外熱交換器１３側から液管ジョイント１０ａに向かう冷媒の流れを許容し、その反対方向へ向かう冷媒の流れを遮断する。
【００２６】
ＧＨＰ四方弁１６の第三ポート１６３は、ＧＨＰ第四配管１５ｄを介してＧＨＰアキュムレータ１８に接続される。ＧＨＰアキュムレータ１８は、ＧＨＰ第四配管１５ｄから冷媒を供給するとともに、供給した冷媒を気液分離する。また、ＧＨＰアキュムレータ１８は、ＧＨＰ第五配管１５ｅを介してＧＨＰコンプレッサ１２の第一吸入口１２ａに接続される。ＧＨＰアキュムレータ１８内の気相冷媒は、ＧＨＰ第五配管１５ｅを通ってＧＨＰコンプレッサ１２の第一吸入口１２ａに供給される。
【００２７】
ＧＨＰ四方弁１６の第四ポート１６４は、ＧＨＰ第六配管１５ｆの一方端に接続される。ＧＨＰ第六配管１５ｆの他方端は、例えば、ＧＨＰ室外機１０のハウジングに設けられたガス管ジョイント１０ｂに接続される。
【００２８】
また、ＧＨＰ第三配管１５ｃのうち液管ジョイント１０ａから配管Ｌ１，Ｌ２に分岐した部分までの間の部分と、ＧＨＰ第四配管１５ｄとが、ＧＨＰ第七配管１５ｇにより接続される。このＧＨＰ第七配管１５ｇにサブ熱交換器１９が介装される。従って、サブ熱交換器１９には、ＧＨＰ第七配管１５ｇを流れる冷媒が流入する。サブ熱交換器１９には、ガスエンジン１１を冷却して加熱された冷却水も供給される。そして、サブ熱交換器１９にて、冷媒と冷却水が熱交換する。斯かる熱交換により、サブ熱交換器１９内を流れる冷媒が、加熱された冷却水から熱を受け取る。つまり、サブ熱交換器１９にて、ガスエンジン１１の駆動により得られる熱（冷却水の熱）により冷媒が加熱される。また、ＧＨＰ第七配管１５ｇにはＧＨＰ第一流量調整弁２０ａが介装される。ＧＨＰ第一流量調整弁２０ａは開度調整可能に構成されており、ＧＨＰ第七配管１５ｇを流れる冷媒の流量、すなわちサブ熱交換器１９に流入する冷媒の流量を調節する。ＧＨＰ第七配管１５ｇが、本発明のサブ配管に相当する。
【００２９】
また、ＧＨＰ第一配管１５ａとＧＨＰ第四配管１５ｄが、ホットガスバイパス配管１５ｈにより接続される。ホットガスバイパス配管１５ｈにより、ＧＨＰコンプレッサ１２の第一吐出口１２ｂと第一吸入口１２ａが接続される。また、ホットガスバイパス配管１５ｈに、ホットガスバイパス弁２１が介装される。ホットガスバイパス弁２１は開閉弁である。ホットガスバイパス弁２１は、開閉作動することによりホットガスバイパス配管１５ｈ内の冷媒の流通を許可又は遮断する。ホットガスバイパス弁２１が開弁作動すると、ＧＨＰコンプレッサ１２の第一吐出口１２ｂから吐出されてＧＨＰ第一配管１５ａに流出した冷媒の一部がホットガスバイパス配管１５ｈを経由してＧＨＰ第四配管１５ｄに流れ、さらにＧＨＰ第四配管１５ｄからＧＨＰアキュムレータ１８に流入する。そして、ＧＨＰアキュムレータ１８からＧＨＰ第五配管１５ｅを通ってＧＨＰコンプレッサ１２の第一吸入口１２ａに戻される。
【００３０】
ＥＨＰ室外機３０は、モータ３１（電動機）と、コンプレッサと、冷媒回路を構成する複数の配管と、空調に必要な各機器を有する。各機器には、室外熱交換器、四方弁、室外機ファン、アキュムレータ、流量調整弁が含まれる。本実施形態において、ＥＨＰ室外機に備えられる配管、コンプレッサ、室外熱交換器、四方弁、室外機ファン、アキュムレータに、接頭語として「ＥＨＰ」が付与される。従って、ＥＨＰ室外機３０は、モータ３１、ＥＨＰコンプレッサ３２、ＥＨＰ室外熱交換器３３、複数のＥＨＰ配管（３５ａ〜３５ｆ）、ＥＨＰ四方弁３６、ＥＨＰ室外機ファン３７、ＥＨＰアキュムレータ３８、ＥＨＰ流量調整弁３９を備えることになる。
【００３１】
モータ３１は、例えば商用電源Ｃから電力が供給されることにより駆動する。なお、発電機付きＧＨＰの発電電力、コージェネレーションシステムの発電機の発電電力、等を、モータ３１の駆動に利用することができる。モータ３１は出力軸３１ａを備える。モータ３１の出力軸３１ａには、ＥＨＰコンプレッサ３２が接続される。
【００３２】
ＥＨＰコンプレッサ３２は、モータ３１が駆動して出力軸３１ａが回転することにより作動する。ＥＨＰコンプレッサ３２は、第二吸入口３２ａ及び第二吐出口３２ｂを有する。ＥＨＰコンプレッサ３２が作動すると、第二吸入口３２ａから低圧のガス冷媒を吸入し、吸入したガス冷媒を圧縮する。そして、圧縮した高圧のガス冷媒を第二吐出口３２ｂから吐出する。
【００３３】
ＥＨＰコンプレッサ３２の第二吐出口３２ｂは、ＥＨＰ第一配管３５ａを介してＥＨＰ四方弁３６に接続される。ＥＨＰ四方弁３６が本発明の第二切替弁に相当する。ＥＨＰ四方弁３６は、４つのポート（第一ポート３６１、第二ポート３６２、第三ポート３６３、第四ポート３６４）を有する中空状の本体部と、本体部内を移動可能な可動部とを備える。可動部によって特定の２つのポートとそれ以外の２つのポートが接続されるように、本体部内の空間が仕切られる。また、可動部が移動することにより、接続されるポートが切り替えられる。このようなＥＨＰ四方弁３６の切替状態は、制御装置６０により制御される。ＥＨＰ第一配管３５ａは、ＥＨＰ四方弁３６の第一ポート３６１に接続される。
【００３４】
ＥＨＰ四方弁３６の第二ポート３６２は、ＥＨＰ第二配管３５ｂを介してＥＨＰ室外熱交換器３３に接続される。ＥＨＰ室外熱交換器３３は、第一入出力ポート３３ａ及び第二入出力ポート３３ｂを備え、第一入出力ポート３３ａにＥＨＰ第二配管３５ｂが接続される。また、ＥＨＰ室外熱交換器３３は、第一入出力ポート３３ａと第二入出力ポート３３ｂを接続する熱交換チューブ及び熱交換チューブの回りに配設された熱交換フィンを備える。ＥＨＰ室外熱交換器３３は、熱交換チューブ内を流れる冷媒を外気と熱交換させる機能を有する。
【００３５】
また、ＥＨＰ室外熱交換器３３に近接した位置にＥＨＰ室外機ファン３７が設置される。ＥＨＰ室外機ファン３７にはファンモータが取り付けられており、このファンモータの駆動によりＥＨＰ室外機ファン３７が回転する。ＥＨＰ室外機ファン３７が回転することにより、ＥＨＰ室外熱交換器３３に外気が供給される。
【００３６】
ＥＨＰ室外熱交換器３３の第二入出力ポート３３ｂは、ＥＨＰ第三配管３５ｃの一方端に接続される。ＥＨＰ第三配管３５ｃの他方端は、例えば、ＥＨＰ室外機３０のハウジングに設けられた液管ジョイント３０ａに接続される。また、図１からわかるように、ＥＨＰ第三配管３５ｃにＥＨＰ流量調整弁３９が介装される。ＥＨＰ流量調整弁３９は、開度調整可能に構成されており、ＥＨＰ第三配管３５ｃからＥＨＰ室外熱交換器３３に流入する冷媒の流量、或いは、ＥＨＰ室外熱交換器３３からＥＨＰ第三配管３５ｃに流出する冷媒の流量を調整する。
【００３７】
ＥＨＰ四方弁３６の第三ポート３６３は、ＥＨＰ第四配管３５ｄを介してＥＨＰアキュムレータ３８に接続される。ＥＨＰアキュムレータ３８は、ＥＨＰ第四配管３５ｄから冷媒を供給するとともに、供給した冷媒を気液分離する。また、ＥＨＰアキュムレータ３８は、ＥＨＰ第五配管３５ｅを介してＥＨＰコンプレッサ３２の第二吸入口３２ａに接続される。ＥＨＰアキュムレータ３８内の気相冷媒は、ＥＨＰ第五配管３５ｅを通ってＥＨＰコンプレッサ３２の第二吸入口３２ａに供給される。
【００３８】
ＥＨＰ四方弁３６の第四ポート３６４は、ＥＨＰ第六配管３５ｆの一方端に接続される。ＥＨＰ第六配管３５ｆの他方端は、例えば、ＥＨＰ室外機３０のハウジングに設けられたガス管ジョイント３０ｂに接続される。
【００３９】
室内機４０は、一つ又は複数の室内熱交換器と、それぞれの室内熱交換器に対応して設けられるとともに冷媒回路を構成する配管（室内側第一配管４２ａ、室内側第二配管４２ｂ）と、それぞれの室内熱交換器に対応して設けられている室内側膨張弁４３及び室内機ファン４４とを備える。図１においては、３台の室内熱交換器４１Ａ，４１Ｂ，４１Ｃ及びこれらに対応する各配管及び各機器が例示される。例示された３台の室内熱交換器を総称して、室内熱交換器４１と呼ぶ。
【００４０】
室内熱交換器４１は、第一入出力ポート４１ａと第二入出力ポート４１ｂとを備える。室内熱交換器４１は、第一入出力ポート４１ａと第二入出力ポート４１ｂとを接続する熱交換チューブ及び熱交換チューブの回りに配設された熱交換フィンを備える。室内熱交換器４１は、熱交換チューブ内を流れる冷媒を室内空気と熱交換させる機能を有する。
【００４１】
室内熱交換器４１の第一入出力ポート４１ａは、室内側第一配管４２ａの一方端に接続される。室内側第一配管４２ａの他方端は、例えば、室内機４０のハウジングに設けられた液管ジョイント４０ａに接続される。また、室内熱交換器４１の第二入出力ポート４１ｂは、室内側第二配管４２ｂの一方端に接続される。室内側第二配管４２ｂの他方端は、例えば、室内機４０のハウジングに設けられたガス管ジョイント４０ｂに接続される。
【００４２】
また、室内側第一配管４２ａに、室内側膨張弁４３が介装される。室内側膨張弁４３は、開度調整可能な流量弁であり、室内熱交換器４１を流通する冷媒の流量を調整するとともに、室内熱交換器４１から流出した冷媒又は室内熱交換器４１に流入した冷媒を膨張させる機能を有する。
【００４３】
室内熱交換器４１に近接して室内機ファン４４が設置される。室内機ファン４４にはファンモータが取り付けられており、このファンモータの駆動により室内機ファン４４が回転する。室内機ファン４４が回転することにより、室内熱交換器４１に室内空気が供給される。
【００４４】
また、図１に示すように、ＧＨＰ室外機１０のハウジングに設けられた液管ジョイント１０ａと室内機４０のハウジングに設けられた液管ジョイント４０ａが、第一液管５１により接続される。上述したように、ＧＨＰ室外機１０の液管ジョイント１０ａはＧＨＰ第三配管１５ｃの他方端に接続されており、第三配管１５ｃの一方端はＧＨＰ室外熱交換器１３の第二入出力ポート１３ｂに接続されている。また、室内機４０の液管ジョイント４０ａは室内側第一配管４２ａの他方端に接続されており、室内側第一配管４２ａの一方端には室内熱交換器４１が接続されている。従って、室内熱交換器４１とＧＨＰ室外熱交換器１３は、ＧＨＰ第三配管１５ｃ、第一液管５１、室内側第一配管４２ａにより接続されることになる。ＧＨＰ第三配管１５ｃ、第一液管５１、室内側第一配管４２ａが、本発明の第一接続配管に相当する。
【００４５】
また、ＧＨＰ室外機１０のハウジングに設けられたガス管ジョイント１０ｂと室内機４０のハウジングに設けられたガス管ジョイント４０ｂが、第一ガス管５２により接続される。ここで、室内機４０のガス管ジョイント４０ｂは、室内側第二配管４２ｂの他方端に接続され、室内側第二配管４２ｂの一方端は室内熱交換器４１に接続される。また、ＧＨＰ室外機１０のガス管ジョイント１０ｂは、ＧＨＰ第六配管１５ｆの他方端に接続され、ＧＨＰ第六配管１５ｆの一方端は、ＧＨＰ四方弁１６の第四ポート１６４に接続されている。また、後述するように、ＧＨＰ四方弁１６の切替状態が冷房時接続状態であるときには、ＧＨＰ四方弁１６の第四ポート１６４が第三ポート１６３に連通する。ＧＨＰ四方弁１６の第三ポート１６３は、ＧＨＰ第四配管１５ｄを介してＧＨＰアキュムレータ１８に接続され、さらにＧＨＰアキュムレータ１８は、ＧＨＰ第五配管１５ｅを介してＧＨＰコンプレッサ１２の第一吸入口１２ａに接続される。従って、ＧＨＰ四方弁１６の切替状態が冷房時接続状態であるとき、室内熱交換器４１とＧＨＰコンプレッサ１２の第一吸入口１２ａが、室内側第二配管４２ｂ、第一ガス管５２、ＧＨＰ第六配管１５ｆ、ＧＨＰ第四配管１５ｄ、ＧＨＰ第五配管１５ｅ、により接続される。室内側第二配管４２ｂ、第一ガス管５２、ＧＨＰ第六配管１５ｆ、ＧＨＰ第四配管１５ｄ、ＧＨＰ第五配管１５ｅが、本発明の第三接続配管に相当する。
【００４６】
また、第一液管５１には、第二液管５３の一方端が連通する。この第二液管５３の他方端は、ＥＨＰ室外機３０のハウジングに設けられた液管ジョイント３０ａに接続される。ＥＨＰ室外機３０の液管ジョイント３０ａは、ＥＨＰ第三配管３５ｃの他方端に接続され、ＥＨＰ第三配管３５ｃの一方端は、ＥＨＰ室外熱交換器３３の第二入出力ポート３３ｂに接続される。従って、第一液管５１（第一接続配管）とＥＨＰ室外熱交換器３３は、第二液管５３、ＥＨＰ第三配管３５ｃにより接続されることになる。第二液管５３及びＥＨＰ第三配管３５ｃが、本発明の第二接続配管に相当する。
【００４７】
また、第一ガス管５２は、第二ガス管５４の一方端に連通する。この第二ガス管５４の他方端は、ＥＨＰ室外機３０のハウジングに設けられたガス管ジョイント３０ｂに接続される。ＥＨＰ室外機３０のガス管ジョイント３０ｂは、ＥＨＰ第六配管３５ｆの他方端に接続され、ＥＨＰ第六配管３５ｆの一方端は、ＥＨＰ四方弁３６の第四ポート３６４に接続されている。また、後述するように、ＥＨＰ四方弁３６の切替状態が冷房時接続状態であるときには、ＥＨＰ四方弁１６の第四ポート３６４が第三ポート３６３に連通する。ＥＨＰ四方弁３６の第三ポート３６３は、ＥＨＰ第四配管３５ｄを介してＥＨＰアキュムレータ３８に接続され、さらにＥＨＰアキュムレータ３８は、ＥＨＰ第五配管３５ｅを介してＥＨＰコンプレッサ３２の第二吸入口３２ａに接続される。従って、ＥＨＰ四方弁３６の切替状態が冷房時接続状態であるとき、第一ガス管５２（第三接続配管）とＥＨＰコンプレッサ３２の第二吸入口３２ａが、第二ガス管５４、ＥＨＰ第六配管３５ｆ、ＥＨＰ第四配管３５ｄ、ＥＨＰ第五配管３５ｅ、により接続される。第二ガス管５４、ＥＨＰ第六配管３５ｆ、ＥＨＰ第四配管３５ｄ、ＥＨＰ第五配管３５ｅが、本発明の第四接続配管に相当する。
【００４８】
制御装置６０は、ＣＰＵ，ＲＯＭ，ＲＡＭを備えるマイクロコンピュータを主要構成としており、空気調和装置１の動作を制御する。例えば、制御装置６０は、空気調和装置１の運転状態に応じて、ＧＨＰ四方弁１６及びＥＨＰ四方弁３６の切替状態、ガスエンジン１１の回転数、モータ３１の回転数、室内側膨張弁４３の開度、各流量調整弁（２０ａ，２０ｂ，３９）の開度、ホットガスバイパス弁２１の開閉状態、各ファンの回転数、等を、制御する。
【００４９】
また、図１には示していないが、ＧＨＰ室外機１０、ＥＨＰ室外機３０、室内機４０の各所にセンサが設けられていて、それらのセンサの検出信号が制御装置６０に入力される。制御装置６０は、各種のセンサから入力した信号に基づいて、空気調和装置１の動作を制御する。各種のセンサとして、ガスエンジン１１及びモータ３１の回転数を検出する回転数検出センサ、ＧＨＰコンプレッサ１２及びＥＨＰコンプレッサ３２から吐出される冷媒の温度を検出する吐出温度センサ、ＧＨＰコンプレッサ１２及びＥＨＰコンプレッサ３２に吸入される冷媒の温度を検出する吸入温度センサ、ＧＨＰコンプレッサ１２及びＥＨＰコンプレッサ３２に吸入される冷媒の圧力を検出する圧力センサ、ＧＨＰ室外熱交換器１３及びＥＨＰ室外熱交換器３３に流出入する冷媒の温度を検出する温度センサ、ＧＨＰ室外熱交換器１３内及びＥＨＰ室外熱交換器３３内を流通する冷媒の温度を検出する温度センサ、各種ファンの回転数を検出する回転数検出センサ、室内側膨張弁４３及び各流量調整弁（２０ａ，２０ｂ，３９）の開度を検出する開度検出センサ、外気温を検出する温度センサ、等を例示することができるが、この限りでない。
【００５０】
次に、上記構成の空気調和装置１の暖房運転時及び冷房運転時の動作について、説明する。まず、暖房運転時の動作について説明する。暖房運転時には、制御装置６０は、ＧＨＰ四方弁１６及びＥＨＰ四方弁３６の切替状態が、暖房時接続状態となるように、それぞれの四方弁を制御する。ここで、ＧＨＰ四方弁１６及びＥＨＰ四方弁３６は、その切替状態が、暖房時接続状態と後述する冷房時接続状態とに切替可能であるように構成される。暖房時接続状態とは、両四方弁（１６，３６）の第一ポート（１６１，３６１）と第四ポート（１６４，３６４）が連通するとともに第二ポート（１６２，３６２）と第三ポート（１６３，３６３）が連通する切替状態である。従って、暖房運転時、すなわち両四方弁（１６，３６）の切替状態が暖房時接続状態であるとき、四方弁（１６，３６）の第一ポート（１６１，３６１）に接続された第一配管（１５ａ，３５ａ）が第四ポート（１６４，３６４）に接続された第六配管（１５ｆ、３５ｆ）に接続され、四方弁（１６，３６）の第二ポート（１６２，３６２）に接続された第二配管（１５ｂ、３５ｂ）が第三ポート（１６３，３６３）に接続された第四配管（１５ｄ、３５ｄ）に接続されることになる。
【００５１】
なお、後述する説明からわかるように、ＧＨＰ四方弁１６の切替状態が暖房時接続状態であるとき、ＧＨＰ室外熱交換器１３がＧＨＰコンプレッサ１２の第一吸入口１２ａに接続され、ＧＨＰ四方弁１６の切替状態が冷房時接続状態であるとき、ＧＨＰ室外熱交換器１３がＧＨＰコンプレッサ１２の第一吐出口１２ｂに接続される。従って、ＧＨＰ四方弁１６は、ＧＨＰ室外熱交換器１３とＧＨＰコンプレッサ１２との接続状態を、ＧＨＰ室外熱交換器１３がＧＨＰコンプレッサ１２の第一吸入口１２ａに接続される暖房時接続状態とＧＨＰコンプレッサ１２の第一吐出口１２ｂに接続される冷房時接続状態とに切替可能に構成されていると言える。同様に、ＥＨＰ四方弁３６の切替状態が暖房時接続状態であるとき、ＥＨＰ室外熱交換器３３がＥＨＰコンプレッサ３２の第二吸入口３２ａに接続され、ＥＨＰ四方弁３６の切替状態が冷房時接続状態であるとき、ＥＨＰ室外熱交換器３３がＥＨＰコンプレッサ３２の第二吐出口３２ｂに接続される。従って、ＥＨＰ四方弁３６は、ＥＨＰ室外熱交換器３３とＥＨＰコンプレッサ３２との接続状態を、ＥＨＰ室外熱交換器３３がＥＨＰコンプレッサ３２の第二吸入口３２ａに接続される暖房時接続状態とＥＨＰコンプレッサ３２の第二吐出口３２ｂに接続される冷房時接続状態とに切替可能に構成されていると言える。
【００５２】
また、暖房運転時には、ＧＨＰ四方弁１６の切替状態が暖房時接続状態にされた状態で、ガスエンジン１１が駆動する。すると、ＧＨＰコンプレッサ１２が作動して、ＧＨＰ第五配管１５ｅ内の低圧ガス冷媒を第一吸入口１２ａから吸入するとともに吸入した低圧ガス冷媒を圧縮して高温高圧ガス冷媒を生成する。そして、生成した高温高圧ガス冷媒を第一吐出口１２ｂから吐出する。第一吐出口１２ｂから吐出された高温高圧ガス冷媒はＧＨＰ第一配管１５ａを流れてＧＨＰ四方弁１６に流入する。
【００５３】
暖房運転時には、ＧＨＰ四方弁１６にてＧＨＰ第一配管１５ａがＧＨＰ第六配管１５ｆに接続されているから、ＧＨＰ第一配管１５ａからＧＨＰ四方弁１６に流入した高温高圧ガス冷媒はＧＨＰ四方弁１６からＧＨＰ第六配管１５ｆに流入する。ＧＨＰ第六配管１５ｆに流入した高温高圧ガス冷媒は、さらに、ＧＨＰ室外機１０のガス管ジョイント１０ｂ、第一ガス管５２、室内機４０のガス管ジョイント４０ｂ、室内側第二配管４２ｂをこの順に流れる。そして、室内側第二配管４２ｂに接続した室内熱交換器４１にその第二入出力ポート４１ｂから流入する。
【００５４】
室内熱交換器４１に流入した高温高圧ガス冷媒は室内熱交換器４１の熱交換チューブを流通する間に室内空気と熱交換し、室内空気に熱を吐き出して凝縮する。つまり、室内熱交換器４１は暖房運転時に凝縮器として機能する。このとき高温高圧ガス冷媒から吐き出された熱によって室内空気が暖められて、室内が暖房される。
【００５５】
室内熱交換器４１にて室内空気に熱を吐き出して凝縮した冷媒は一部液化し、室内熱交換器４１の第一入出力ポート４１ａから室内側第一配管４２ａに流出する。そして、室内側第一配管４２ａの途中に介装された室内側膨張弁４３で膨張することにより蒸発しやすいように低圧化される。室内側膨張弁４３で膨張された冷媒は、さらに、室内側第一配管４２ａから室内機４０の液管ジョイント４０ａ、第一液管５１、ＧＨＰ室外機１０の液管ジョイント１０ａ、ＧＨＰ第三配管１５ｃ、配管Ｌ１及びＧＨＰ第二流量調整弁２０ｂを経由して、ＧＨＰ室外熱交換器１３にその第二入出力ポート１３ｂから流入する。ＧＨＰ室外熱交換器１３に流入した冷媒はＧＨＰ室外熱交換器１３の熱交換チューブを流通する間に外気と熱交換し、外気の熱を奪って蒸発する。つまり、ＧＨＰ室外熱交換器１３は暖房時に蒸発器として機能する。
【００５６】
ＧＨＰ室外熱交換器１３にて外気の熱を奪って蒸発した冷媒は一部気化し、ＧＨＰ室外熱交換器１３の第一入出力ポート１３ａからＧＨＰ第二配管１５ｂに流出する。そして、ＧＨＰ第二配管１５ｂからＧＨＰ四方弁１６に入る。暖房運転時にはＧＨＰ四方弁１６にてＧＨＰ第二配管１５ｂがＧＨＰ第四配管１５ｄに接続されているから、ＧＨＰ第二配管１５ｂからＧＨＰ四方弁１６に流入した冷媒はＧＨＰ四方弁１６からＧＨＰ第四配管１５ｄに流入し、さらにＧＨＰアキュムレータ１８に供給される。ＧＨＰアキュムレータ１８では供給された冷媒が気液分離される。そして、低温低圧のガス冷媒のみがＧＨＰアキュムレータ１８からＧＨＰ第五配管１５ｅに流出される。ＧＨＰアキュムレータ１８からＧＨＰ第五配管１５ｅに流出した冷媒がＧＨＰコンプレッサ１２の第一吸入口１２ａに帰還する。上記の冷媒の流れからわかるように、ＧＨＰ四方弁１６の切替状態が暖房時接続状態である暖房運転時には、ＧＨＰ室外熱交換器１３は、ＧＨＰ第二配管１５ｂ、ＧＨＰ第四配管１５ｄ、ＧＨＰ第五配管１５ｅを介して、ＧＨＰコンプレッサ１２の第一吸入口１２ａに接続される。
【００５７】
また、暖房運転時には、必要に応じて、ＧＨＰ第一流量調整弁２０ａの開度が制御される。ＧＨＰ第一流量調整弁２０ａが開いている場合、室内熱交換器４１及び室内側膨張弁４３を経由してＧＨＰ第三配管１５ｃに流入した冷媒の一部が、ＧＨＰ第七配管１５ｇに流れる。ＧＨＰ第七配管１５ｇに流れた冷媒は、サブ熱交換器１９に導入される。このサブ熱交換器１９にて、冷媒が冷却水と熱交換することにより、冷媒が加熱される。サブ熱交換器１９で加熱された冷媒は、ＧＨＰ第七配管１５ｇからＧＨＰ第四配管１５ｄに流出し、その後、ＧＨＰアキュムレータ１８に供給される。
【００５８】
また、暖房運転時には、ＥＨＰ四方弁３６の切替状態が暖房時接続状態にされた状態で、モータ３１が駆動する。すると、ＥＨＰコンプレッサ３２が作動して、ＥＨＰ第五配管３５ｅ内の低圧ガス冷媒を第二吸入口３２ａから吸入するとともに吸入した低圧ガス冷媒を圧縮して高温高圧ガス冷媒を生成する。そして、生成した高温高圧ガス冷媒を第二吐出口３２ｂから吐出する。第二吐出口３２ｂから吐出された高温高圧ガス冷媒はＥＨＰ第一配管３５ａを流れてＥＨＰ四方弁３６に流入する。
【００５９】
暖房運転時には、ＥＨＰ四方弁３６にてＥＨＰ第一配管３５ａがＥＨＰ第六配管３５ｆに接続されているから、ＥＨＰ第一配管３５ａからＥＨＰ四方弁３６に流入した高温高圧ガス冷媒はＥＨＰ四方弁３６からＥＨＰ第六配管３５ｆに流入する。ＥＨＰ第六配管３５ｆに流入した高温高圧ガス冷媒は、さらに、ＥＨＰ室外機３０のガス管ジョイント３０ｂ、第二ガス管５４、第一ガス管５２、室内機４０のガス管ジョイント４０ｂ、室内側第二配管４２ｂをこの順に流れる。そして、室内側第二配管４２ｂに接続した室内熱交換器４１にその第二入出力ポート４１ｂから流入する。
【００６０】
室内熱交換器４１に流入した高温高圧ガス冷媒は室内熱交換器４１の熱交換チューブを流通する間に室内空気と熱交換し、室内空気に熱を吐き出して凝縮する。このとき高温高圧ガス冷媒から吐き出された熱によって室内空気が暖められて、室内が暖房される。
【００６１】
室内熱交換器４１にて室内空気に熱を吐き出して凝縮した冷媒は一部液化し、室内熱交換器４１の第一入出力ポート４１ａから室内側第一配管４２ａに流出する。そして、室内側第一配管４２ａの途中に介装された室内側膨張弁４３で膨張することにより蒸発しやすいように低圧化される。室内側膨張弁４３で膨張された冷媒は、さらに、室内機４０の液管ジョイント４０ａ、第一液管５１、第二液管５３、ＥＨＰ室外機３０の液管ジョイント３０ａ、ＥＨＰ第三配管３５ｃ及びＥＨＰ流量調整弁３９を経由して、ＥＨＰ室外熱交換器３３にその第二入出力ポート３３ｂから流入する。ＥＨＰ室外熱交換器３３に流入した冷媒はＥＨＰ室外熱交換器３３内の熱交換チューブを流通する間に外気と熱交換し、外気の熱を奪って蒸発する。つまり、ＥＨＰ室外熱交換器３３は暖房時に蒸発器として機能する。
【００６２】
ＥＨＰ室外熱交換器３３にて外気の熱を奪って蒸発した冷媒は一部気化し、ＥＨＰ室外熱交換器３３の第一入出力ポート３３ａからＥＨＰ第二配管３５ｂに流出する。そして、ＥＨＰ第二配管３５ｂからＥＨＰ四方弁３６に入る。暖房運転時にはＥＨＰ四方弁３６にてＥＨＰ第二配管３５ｂがＥＨＰ第四配管３５ｄに接続されているから、ＥＨＰ第二配管３５ｂからＥＨＰ四方弁３６に流入した冷媒はＥＨＰ四方弁３６からＥＨＰ第四配管３５ｄに流入し、さらにＥＨＰアキュムレータ３８に供給される。ＥＨＰアキュムレータ３８では供給された冷媒が気液分離される。そして、低温低圧のガス冷媒のみがＥＨＰアキュムレータ３８からＥＨＰ第五配管３５ｅに流出される。ＥＨＰアキュムレータ３８からＥＨＰ第五配管３５ｅに流出した冷媒がＥＨＰコンプレッサ３２の第二吸入口３２ａに帰還する。上記の冷媒の流れからわかるように、ＥＨＰ四方弁３６の切替状態が暖房時接続状態である暖房運転時には、ＥＨＰ室外熱交換器３３は、ＥＨＰ第二配管３５ｂ、ＥＨＰ第四配管３５ｄ、ＥＨＰ第五配管３５ｅを介して、ＥＨＰコンプレッサ３２の第二吸入口３２ａに接続される。図１において、暖房運転時における冷媒の流れが、実線の矢印により示される。
【００６３】
次に、冷房運転について説明する。冷房運転時には、制御装置６０は、ＧＨＰ四方弁１６及びＥＨＰ四方弁３６の切替状態が、冷房時接続状態となるように、それぞれの四方弁を制御する。ここで、冷房時接続状態とは、両四方弁（１６，３６）の第一ポート（１６１，３６１）と第二ポート（１６２，３６２）が連通するとともに第三ポート（１６３，３６３）と第四ポート（１６４，３６４）が連通する切替状態である。従って、冷房運転時、すなわち両四方弁（１６，３６）の切替状態が冷房時接続状態であるとき、四方弁（１６，３６）の第一ポート（１６１，３６１）に接続された第一配管（１５ａ，３５ａ）が第二ポート（１６２，３６２）に接続された第二配管（１５ｂ、３５ｂ）に接続され、第三ポート（１６３，３６３）に接続された第四配管（１５ｄ、３５ｄ）が第四ポート（１６４，３６４）に接続された第六配管（１５ｆ、３５ｆ）に接続されることになる。
【００６４】
また、冷房運転時には、ＧＨＰ四方弁１６の切替状態が冷房時接続状態にされた状態で、ガスエンジン１１が駆動する。すると、ＧＨＰコンプレッサ１２が作動して、ＧＨＰ第五配管１５ｅ内の低圧ガス冷媒を第一吸入口１２ａから吸入するとともに吸入した低圧ガス冷媒を圧縮して高温高圧ガス冷媒を生成する。そして、生成した高温高圧ガス冷媒を第一吐出口１２ｂから吐出する。第一吐出口１２ｂから吐出された高温高圧ガス冷媒はＧＨＰ第一配管１５ａを流れてＧＨＰ四方弁１６に流入する。
【００６５】
冷房運転時には、ＧＨＰ四方弁１６にてＧＨＰ第一配管１５ａがＧＨＰ第二配管１５ｂに接続されているから、ＧＨＰ第一配管１５ａからＧＨＰ四方弁１６に流入した高温高圧ガス冷媒はＧＨＰ四方弁１６からＧＨＰ第二配管１５ｂに流入する。ＧＨＰ第二配管１５ｂに流入した高温高圧ガス冷媒は、ＧＨＰ第二配管１５ｂに接続したＧＨＰ室外熱交換器１３にその第一入出力ポート１３ａから流入する。ＧＨＰ室外熱交換器１３に流入した冷媒はＧＨＰ室外熱交換器１３の熱交換チューブを流通する間に外気と熱交換し、外気に熱を吐き出して凝縮する。つまり、ＧＨＰ室外熱交換器１３は冷房時に凝縮器として機能する。なお、上記した冷媒の流れからわかるように、ＧＨＰ四方弁１６の切替状態が冷房時接続状態である冷房運転時には、ＧＨＰ室外熱交換器１３は、ＧＨＰ第二配管１５ｂ、ＧＨＰ第一配管１５ａを介して、ＧＨＰコンプレッサ１２の第一吐出口１２ｂに接続される。
【００６６】
ＧＨＰ室外熱交換器１３にて外気に熱を吐き出して凝縮した冷媒は一部液化し、ＧＨＰ室外熱交換器１３の第二入出力ポート１３ｂからＧＨＰ第三配管１５ｃに流出する。ＧＨＰ第三配管１５ｃに流出した冷媒は、配管Ｌ２、逆止弁２０ｃ、ＧＨＰ室外機１０の液管ジョイント１０ａ、第一液管５１、室内機４０の液管ジョイント４０ａを経由して、室内側第一配管４２ａに至り、この室内側第一配管４２ａの途中に介装された室内側膨張弁４３で膨張することにより蒸発しやすいように低圧化される。室内側膨張弁４３で膨張された冷媒は、室内熱交換器４１にその第一入出力ポート４１ａから流入する。室内熱交換器４１に流入した冷媒は室内熱交換器４１の熱交換チューブを流通する間に室内空気と熱交換し、室内空気の熱を奪って蒸発する。つまり、室内熱交換器４１は冷房時に蒸発器として機能する。このとき冷媒に熱が奪われることによって室内空気が冷却されて、室内が冷房される。
【００６７】
室内熱交換器４１にて室内空気の熱を奪って蒸発した冷媒は、室内熱交換器４１の第二入出力ポート４１ｂから室内側第二配管４２ｂに流出する。室内側第二配管４２ｂに流出した冷媒は、室内機４０のガス管ジョイント４０ｂ、第一ガス管５２、ＧＨＰ室外機１０のガス管ジョイント１０ｂ、ＧＨＰ第六配管１５ｆを経由して、ＧＨＰ四方弁１６に入る。冷房運転時にはＧＨＰ四方弁１６にてＧＨＰ第六配管１５ｆがＧＨＰ第四配管１５ｄに接続されているから、ＧＨＰ第六配管１５ｆからＧＨＰ四方弁１６に流入した冷媒はＧＨＰ四方弁１６からＧＨＰ第四配管１５ｄに流入し、さらにＧＨＰアキュムレータ１８に供給される。ＧＨＰアキュムレータ１８では供給された冷媒が気液分離される。そして、低温低圧のガス冷媒のみがＧＨＰアキュムレータ１８からＧＨＰ第五配管１５ｅに流出される。ＧＨＰアキュムレータ１８からＧＨＰ第五配管１５ｅに流出した冷媒がＧＨＰコンプレッサ１２の第一吸入口１２ａに帰還する。上記の冷媒の流れからわかるように、冷房運転時、すなわちＧＨＰ四方弁１６の切換状態が冷房時接続状態であるときには、室内熱交換器４１は、第三接続配管（室内側第二配管４２ｂ、第一ガス管５２、ＧＨＰ第六配管１５ｆ、ＧＨＰ第四配管１５ｄ、ＧＨＰ第五配管１５ｅ）を介して、ＧＨＰコンプレッサ１２の第一吸入口１２ａに接続される。
【００６８】
また、冷房運転時には、ＥＨＰ四方弁３６の切替状態が冷房時接続状態にされた状態で、モータ３１が駆動する。すると、ＥＨＰコンプレッサ３２が作動して、ＥＨＰ第五配管３５ｅ内の低圧ガス冷媒を第二吸入口３２ａから吸入するとともに吸入した低圧ガス冷媒を圧縮して高温高圧ガス冷媒を生成する。そして、生成した高温高圧ガス冷媒を第二吐出口３２ｂから吐出する。第二吐出口３２ｂから吐出された高温高圧ガス冷媒はＥＨＰ第一配管３５ａを流れてＥＨＰ四方弁３６に流入する。
【００６９】
冷房運転時には、ＥＨＰ四方弁３６にてＥＨＰ第一配管３５ａがＥＨＰ第二配管３５ｂに接続されているから、ＥＨＰ第一配管３５ａからＥＨＰ四方弁３６に流入した高温高圧ガス冷媒はＥＨＰ四方弁３６からＥＨＰ第二配管３５ｂに流入する。ＥＨＰ第二配管３５ｂに流入した高温高圧ガス冷媒は、ＥＨＰ第二配管３５ｂに接続したＥＨＰ室外熱交換器３３にその第一入出力ポート３３ａから流入する。ＥＨＰ室外熱交換器３３に流入した冷媒はＥＨＰ室外熱交換器３３の熱交換チューブを流通する間に外気と熱交換し、外気に熱を吐き出して凝縮する。つまり、ＥＨＰ室外熱交換器３３は冷房時に凝縮器として機能する。なお、上記した冷媒の流れからわかるように、ＥＨＰ四方弁３６の切替状態が冷房時接続状態である冷房運転時には、ＥＨＰ室外熱交換器３３は、ＥＨＰ第二配管３５ｂ、ＥＨＰ第一配管３５ａを介して、ＥＨＰコンプレッサ３２の第二吐出口３２ｂに接続される。
【００７０】
ＥＨＰ室外熱交換器３３にて外気に熱を吐き出して凝縮した冷媒は一部液化し、ＥＨＰ室外熱交換器３３の第二入出力ポート３３ｂからＥＨＰ第三配管３５ｃに流出する。ＥＨＰ第三配管３５ｃに流出した冷媒は、ＥＨＰ流量調整弁３９、ＥＨＰ室外機３０の液管ジョイント３０ａ、第二液管５３、第一液管５１、室内機４０の液管ジョイント４０ａを経由して、室内側第一配管４２ａに至り、この室内側第一配管４２ａの途中に介装された室内側膨張弁４３で膨張することにより蒸発しやすいように低圧化される。室内側膨張弁４３で膨張された冷媒は、室内熱交換器４１にその第一入出力ポート４１ａから流入する。室内熱交換器４１に流入した冷媒は室内熱交換器４１の熱交換チューブを流通する間に室内空気と熱交換し、室内空気の熱を奪って蒸発する。このとき冷媒に熱が奪われることによって室内空気が冷却されて、室内が冷房される。
【００７１】
室内熱交換器４１にて室内空気の熱を奪って蒸発した冷媒は、室内熱交換器４１の第二入出力ポート４１ｂから室内側第二配管４２ｂに流出する。室内側第二配管４２ｂに流出した冷媒は、室内機４０のガス管ジョイント４０ｂ、第一ガス管５２、第二ガス管５４、ＥＨＰ室外機３０のガス管ジョイント３０ｂ、ＥＨＰ第六配管３５ｆを経由して、ＥＨＰ四方弁３６に入る。冷房運転時にはＥＨＰ四方弁３６にてＥＨＰ第六配管３５ｆがＥＨＰ第四配管３５ｄに接続されているから、ＥＨＰ第六配管３５ｆからＥＨＰ四方弁３６に流入した冷媒はＥＨＰ四方弁３６からＥＨＰ第四配管３５ｄに流入し、さらにＥＨＰアキュムレータ３８に供給される。ＥＨＰアキュムレータ３８では供給された冷媒が気液分離される。そして、低温低圧のガス冷媒のみがＥＨＰアキュムレータ３８からＥＨＰ第五配管３５ｅに流出される。ＥＨＰアキュムレータ３８からＥＨＰ第五配管３５ｅに流出した冷媒がＥＨＰコンプレッサ３２の第二吸入口３２ａに帰還する。上記の冷媒の流れからわかるように、冷房運転時、すなわちＥＨＰ四方弁３６の切換状態が冷房時接続状態であるときには、室内熱交換器４１は、室内側第二配管４２ｂ、第一ガス管５２、第二ガス管５４、ＥＨＰ第六配管３５ｆ、ＥＨＰ第四配管３５ｄ、ＥＨＰ第五配管３５ｅを介して、ＥＨＰコンプレッサ３２の第二吸入口３２ａに接続される。図１において、冷房運転時における冷媒の流れが、破線の矢印により示される。
【００７２】
上記したような空気調和装置１の暖房運転中及び冷房運転中に、制御装置６０は、室内機４０から要求される空調負荷に応じて、ＧＨＰ室外機１０及びＥＨＰ室外機３０を制御する。例えば、要求される空調負荷が大きい場合、制御装置６０は、ＧＨＰ室外熱交換器１３及びＥＨＰ室外熱交換器３３の双方に冷媒が流れるように、ＧＨＰ室外機１０及びＥＨＰ室外機３０を制御することができる。また、要求される空調負荷が小さい場合、制御装置６０は、ＧＨＰ室外熱交換器１３とＥＨＰ室外熱交換器１３のいずれか一方に冷媒が流れるように、ＧＨＰ室外機１０及びＥＨＰ室外機３０を制御することができる。
【００７３】
また、制御装置６０は、暖房運転中及び冷房運転中に、運転中の室内熱交換器４１の熱交換量が空調負荷に見合う量になるように、室外機（１０，３０）及び／又は室内機４０を制御する。例えば、制御装置６０は、ＧＨＰ室外機１０のガスエンジン１１の回転数、ＥＨＰ室外機３０のモータ３１の回転数、室内機４０の室内側膨張弁４３の開度、室内機ファン４４の回転数、等を制御することにより、運転中の室内熱交換器４１の熱交換量を制御する。
【００７４】
また、上記した暖房運転中及び冷房運転中において、ホットガスバイパス弁２１は、通常は閉じている。このホットガスバイパス弁２１は、必要に応じて開作動する。例えば、ＧＨＰコンプレッサ１２に吸入される冷媒の圧力が低くなり、低圧異常が発生して空調運転が停止する虞がある場合に、ホットガスバイパス弁２１が開く。これにより、高圧のガス冷媒がＧＨＰコンプレッサ１２に吸入され、その結果、低圧異常が回避される。
【００７５】
ところで、暖房運転時、特に外気温が非常に低い場合における暖房運転時には、室外熱交換器から排出される冷媒の温度（冷媒蒸発温度）が氷点下且つ露点以下まで低下する場合があり、このような場合、室外熱交換器に備えられる熱交換フィンに着霜する。熱交換フィンに着霜したまま暖房運転を継続した場合には、霜が成長して熱交換フィンが霜で覆われる。また、霜の成長により通風面積が減少する。このため室外熱交換器での熱交換性能が損なわれる。
【００７６】
よって、暖房運転時に室外熱交換器に着霜した場合、除霜運転が実施される。以下においては、本実施形態に係る空気調和装置１が実施する除霜運転について説明する。
【００７７】
本実施形態では、暖房運転時に、制御装置６０が除霜開始判定処理を実行する。図２は、制御装置６０が実行する除霜開始判定処理ルーチンの流れを示すフローチャートである。図２に示すルーチンが起動すると、制御装置６０は、まず、図２のステップ（以下、ステップをＳと略記する）、Ｓ１１にて、除霜開始条件が成立したか否かを判断する。この場合、例えば、暖房運転時にＧＨＰ室外熱交換器１３に流入する冷媒の温度（すなわちＧＨＰ第三配管１５ｃを流れる冷媒の温度）が除霜を開始する必要がある温度として予め定められた温度以下であること（Ａ条件）、暖房運転時にＧＨＰ室外熱交換器１３から流出する冷媒の温度（すなわちＧＨＰ第二配管１５ｂを流れる冷媒の温度）が除霜を開始する必要がある温度として予め定められた温度以下であること（Ｂ条件）、暖房運転時にＧＨＰ室外熱交換器１３内を流通する冷媒の温度が除霜を開始する必要がある温度として予め定められた温度以下であること（Ｃ条件）、暖房運転時にＥＨＰ室外熱交換器３３に流入する冷媒の温度（すなわちＥＨＰ第三配管３５ｃを流れる冷媒の温度）が除霜を開始する必要がある温度として予め定められた温度以下であること（Ｄ条件）、暖房運転時にＥＨＰ室外熱交換器３３から流出する冷媒の温度（すなわちＥＨＰ第二配管３５ｂを流れる冷媒の温度）が除霜を開始する必要がある温度として予め定められた温度以下であること（Ｅ条件）、暖房運転時にＥＨＰ室外熱交換器３３内を流通する冷媒の温度が除霜を開始する必要がある温度として予め定められた温度以下であること（Ｆ条件）、のうち少なくとも一つ以上の条件を満たした場合に、除霜開始条件が成立したと判断することができる。
【００７８】
Ｓ１１にて除霜開始条件が成立していないと判断した場合（Ｓ１１：Ｎｏ）、制御装置６０は、Ｓ１３に処理を進めて、除霜開始フラグをＯＦＦに設定し、その後、このルーチンを終了する。一方、Ｓ１１にて除霜開始条件が成立したと判断した場合（Ｓ１１：Ｙｅｓ）、制御装置６０は、Ｓ１２に処理を進めて、除霜開始フラグをＯＮに設定し、その後、このルーチンを終了する。
【００７９】
除霜開始判定処理にて、除霜開始フラグがＯＦＦに設定された場合、除霜運転は実行されずに暖房運転が継続される。一方、除霜開始判定処理にて、除霜開始フラグがＯＮに設定された場合、除霜運転が実行される。この場合、制御装置６０は、まず、除霜準備処理を実行する。図３は、制御装置６０が実行する除霜準備処理ルーチンの流れを示すフローチャートである。このルーチンが起動すると、制御装置６０は、まず、図３のＳ２１にて、ＧＨＰコンプレッサ１２及びＥＨＰコンプレッサ３２のうち、作動していないコンプレッサ（非作動コンプレッサ）の有無を判断する。非作動コンプレッサが無い場合（Ｓ２１：Ｎｏ）、制御装置６０はこのルーチンを終了する。一方、非作動コンプレッサが有る場合（Ｓ２１：Ｙｅｓ）、制御装置６０は、Ｓ２２に処理を進めて、非作動コンプレッサを作動させるための作動指令信号を出力する。
【００８０】
次いで、制御装置６０は、Ｓ２３にて、全てのコンプレッサ（ＧＨＰコンプレッサ１２及びＥＨＰコンプレッサ３２）が作動しているか否かを判断する。なお、本実施形態に係る除霜準備処理において非作動コンプレッサを作動させるための作動指令信号を出力した場合であっても、その他の制御により、或いは、室外機の異常或いは故障により、非作動コンプレッサが作動しない場合がある。そのような場合、Ｓ２２にて作動指令信号を出力しても、非作動コンプレッサは作動しない。Ｓ２３にて、全てのコンプレッサが作動していると判断した場合（Ｓ２３：Ｙｅｓ）、つまり、全ての室外機が作動して暖房運転を実施している場合、制御装置６０は、Ｓ２４に処理を進めて、同時除霜フラグをＯＮに設定する。その後、制御装置６０は、このルーチンを終了する。一方、いずれかのコンプレッサが作動していない場合（Ｓ２３：Ｎｏ）、制御装置６０は、Ｓ２５に処理を進めて、単独除霜フラグをＯＮに設定する。その後、制御装置６０は、このルーチンを終了する。
【００８１】
制御装置６０が図３に示す除霜準備処理を実行することにより、除霜運転の実行前に、作動可能な全てのコンプレッサが作動する。従って、全ての室外熱交換器のうちの１台でも除霜する必要性が生じた場合には、停止している室外機、除霜の必要のない室外熱交換器を備える室外機、を含めた全ての室外機が、運転することができない場合を除いて暖房運転状態にされる。
【００８２】
制御装置６０は、除霜準備処理にて同時除霜フラグがＯＮに設定された場合、同時除霜処理を実行する。図４は、制御装置６０が実行する同時除霜処理ルーチンの流れを示すフローチャートである。図４に示すルーチンが起動すると、制御装置６０は、まず、図４のＳ３１にて、ＧＨＰ四方弁１６及びＥＨＰ四方弁３６の切替処理を実行する。この処理の実行により、ＧＨＰ四方弁１６の切替状態が、暖房時接続状態から冷房時接続状態に変更され、ＥＨＰ四方弁３６の切替状態が、暖房時接続状態から冷房時接続状態に変更される。Ｓ３１の処理が、本発明の接続状態切替処理に相当する。
【００８３】
続いて、制御装置６０は、全室内機ファン４４に取り付けられているファンモータに停止信号を出力する。これにより、全室内機ファン４４が停止する（Ｓ３２）。次いで、制御装置６０は、全室内側膨張弁４３に全閉信号を出力する。これにより、全室内側膨張弁４３が全閉作動する（Ｓ３３）。全室内側膨張弁４３が全閉作動することにより、全室内熱交換器４１への冷媒の流通が遮断される。Ｓ３３の処理が、本発明の膨張弁全閉処理に相当する。
【００８４】
次に、制御装置６０は、ホットガスバイパス弁２１に閉作動信号を出力する。これによりホットガスバイパス弁２１が閉作動する（Ｓ３４）。なお、Ｓ３４の処理の実行時に既にホットガスバイパス弁２１が閉じている場合は、ホットガスバイパス弁２１の閉状態が維持される。Ｓ３４の処理が、本発明のホットガスバイパス弁閉弁処理に相当する。
【００８５】
続いて、制御装置６０は、Ｓ３５に処理を進めて、同時除霜運転処理を実行する。この同時除霜運転処理では、制御装置６０は、ＧＨＰ第一流量調整弁２０ａの開度、ＧＨＰ第二流量調整弁２０ｂの開度、及びＥＨＰ流量調整弁３９の開度を室外熱交換器の除霜に適した開度に制御するとともに、ガスエンジン１１を冷却する冷却水が流通する冷却水配管に設けられているウォーターポンプの駆動を制御する。また、この同時除霜運転処理では、制御装置６０は、ＧＨＰ室外熱交換器１３及びＥＨＰ室外熱交換器３３が同時に除霜されるように、ＧＨＰコンプレッサ１２及びＥＨＰコンプレッサ３２を作動させる。具体的には、ＧＨＰコンプレッサ１２から吐出される冷媒の流量がＧＨＰ室外熱交換器１３の除霜に適した流量となるようにガスエンジン１１の回転数を制御するとともに、ＥＨＰコンプレッサ３２から吐出される冷媒の流量がＥＨＰ室外熱交換器３３の除霜に適した流量となるようにモータ３１の回転数を制御する。本明細書において、同時除霜運転処理の実行によるＧＨＰ室外機１０及びＥＨＰ室外機３０における運転動作を、同時除霜運転と呼ぶ。
【００８６】
Ｓ３５にて同時除霜運転処理が実行された場合、ＧＨＰコンプレッサ１２の第一吐出口１２ｂから吐出された高温高圧のガス冷媒が、ＧＨＰ第一配管１５ａを経由してＧＨＰ四方弁１６に入る。同時除霜運転時にはＧＨＰ四方弁１６の切替状態は冷房時接続状態であり、ＧＨＰ四方弁１６にてＧＨＰ第一配管１５ａがＧＨＰ第二配管１５ｂに接続されているから、ＧＨＰ第一配管１５ａからＧＨＰ四方弁１６に流入した高温高圧のガス冷媒は、ＧＨＰ四方弁１６からＧＨＰ第二配管１５ｂに流れる。そして、ＧＨＰ第二配管１５ｂからＧＨＰ室外熱交換器１３に高温高圧のガス冷媒が流入する。高温高圧のガス冷媒がＧＨＰ室外熱交換器１３内を流れることにより、ＧＨＰ室外熱交換器１３が加熱される。これによりＧＨＰ室外熱交換器１３が除霜される。
【００８７】
ＧＨＰ室外熱交換器１３を流れた冷媒は、ＧＨＰ第三配管１５ｃ（第一接続配管）に流入する。ここで、冷房運転時には、ＧＨＰ第三配管１５ｃ内の冷媒は、第一液管５１、室内側第一配管４２ａ、室内側膨張弁４３を通って室内熱交換器４１に流れるが、同時除霜運転時には室内側膨張弁４３が閉じている。従って、同時除霜運転時にはＧＨＰ第三配管１５ｃ（配管Ｌ２）内の冷媒は、ＧＨＰ第三配管１５ｃに接続したＧＨＰ第七配管１５ｇ（サブ配管）に流入する。そして、ＧＨＰ第七配管１５ｇに介装されたＧＨＰ第一流量調整弁２０ａを経由して、サブ熱交換器１９に至る。このサブ熱交換器１９にて、冷媒が冷却水と熱交換する。このとき冷媒が冷却水の熱（すなわちガスエンジン１１の駆動により得られる熱）により加熱される。
【００８８】
サブ熱交換器１９で加熱された冷媒は、ＧＨＰ第七配管１５ｇからＧＨＰ第四配管１５ｄ（第三接続配管）に流入し、さらに、ＧＨＰ第四配管１５ｄからＧＨＰアキュムレータ１８に供給される。ＧＨＰアキュムレータ１８では供給された冷媒が気液分離される。そして、低温低圧のガス冷媒のみがＧＨＰアキュムレータ１８からＧＨＰ第五配管１５ｅに流出される。ＧＨＰアキュムレータ１８からＧＨＰ第五配管１５ｅに流出した冷媒がＧＨＰコンプレッサ１２の第一吸入口１２ａに帰還する。
【００８９】
このように、同時除霜運転時にＧＨＰ室外熱交換器１３に高温高圧のガス冷媒が供給されることにより、ＧＨＰ室外熱交換器１３が除霜される。また、冷媒がサブ熱交換器１９で加熱されることにより、より高い温度の冷媒をＧＨＰ室外熱交換器１３に供給することができる。これにより、ＧＨＰ室外熱交換器１３の除霜を促進することができる。
【００９０】
また、Ｓ３５にて同時除霜運転処理が実行された場合、ＥＨＰコンプレッサ３２の第二吐出口３２ｂから吐出された高温高圧のガス冷媒が、ＥＨＰ第一配管３５ａを経由してＥＨＰ四方弁３６に入る。同時除霜運転時にはＥＨＰ四方弁３６の切替状態は冷房時接続状態であり、ＥＨＰ四方弁３６にてＥＨＰ第一配管３５ａがＥＨＰ第二配管３５ｂに接続されているから、ＥＨＰ第一配管３５ａからＥＨＰ四方弁３６に流入した高温高圧のガス冷媒は、ＥＨＰ四方弁３６からＥＨＰ第二配管３５ｂに流れる。そして、ＥＨＰ第二配管３５ｂからＥＨＰ室外熱交換器３３に高温高圧のガス冷媒が流入する。高温高圧のガス冷媒がＥＨＰ室外熱交換器３３内を流れることにより、ＥＨＰ室外熱交換器３３が加熱される。これによりＥＨＰ室外熱交換器３３が除霜される。
【００９１】
ＥＨＰ室外熱交換器３３を流れた冷媒は、ＥＨＰ第三配管３５ｃ（第二接続配管）に流入する。そして、ＥＨＰ第三配管３５ｃの途中に介装されたＥＨＰ流量調整弁３９を通り、さらにＥＨＰ室外機３０の液管ジョイント３０ａ、第二液管５３を経由して、第一液管５１（第一接続配管）に至る。ここで、冷房運転時には、第一液管５１内の冷媒は、室内側第一配管４２ａ、室内側膨張弁４３を通って室内熱交換器４１に流れるが、同時除霜運転時には室内側膨張弁４３が閉じている。従って、同時除霜運転時には第一液管５１内の冷媒は、ＧＨＰ室外機１０の液管ジョイント１０ａを経由してＧＨＰ室外機１０内のＧＨＰ第三配管１５ｃを流れ、さらにＧＨＰ第三配管１５ｃ（第一接続配管）からＧＨＰ第三配管１５ｃに接続したＧＨＰ第七配管１５ｇ（サブ配管）に流入する。
【００９２】
なお、上記したように、同時除霜運転時にＧＨＰコンプレッサ１２から吐出された冷媒も、ＧＨＰ室外熱交換器１３を経由してＧＨＰ第七配管１５ｇに流入するから、ＧＨＰ第七配管１５ｇにて、ＧＨＰコンプレッサ１２から吐出された冷媒とＥＨＰコンプレッサ３２から吐出された冷媒が合流することになる。こうしてＧＨＰ第七配管１５ｇにて合流した冷媒が、ＧＨＰ第七配管１５ｇに介装されたＧＨＰ第一流量調整弁２０ａを経由して、サブ熱交換器１９に至ることになる。そして、このサブ熱交換器１９にて、合流した冷媒が冷却水と熱交換する。このとき冷媒が冷却水の熱（すなわちガスエンジン１１の駆動により得られる熱）により加熱される。
【００９３】
サブ熱交換器１９で加熱された冷媒は、ＧＨＰ第七配管１５ｇからＧＨＰ第四配管１５ｄ（第三接続配管）に流入する。このＧＨＰ第四配管１５ｄでは、ＧＨＰ第七配管１５ｇにて合流した冷媒が分流される。分流された冷媒の一方（ＧＨＰコンプレッサ１２から吐出された冷媒分の冷媒）は、上記したように、ＧＨＰ第四配管１５ｄからＧＨＰアキュムレータ１８、ＧＨＰ第五配管を経由してＧＨＰコンプレッサ１２に吸入される。分流された冷媒の他方（ＥＨＰコンプレッサ３２から吐出された冷媒分の冷媒）は、ＧＨＰ第四配管１５ｄからＧＨＰ四方弁１６に流入する。同時除霜運転時にはＧＨＰ四方弁１６の切替状態は冷房時接続状態であり、ＧＨＰ四方弁１６にてＧＨＰ第四配管１５ｄがＧＨＰ第六配管１５ｆに接続されているから、ＧＨＰ第四配管１５ｄからＧＨＰ四方弁１６に流入した冷媒はＧＨＰ四方弁１６からＧＨＰ第六配管１５ｆに流入する。ＧＨＰ第六配管１５ｆに流入した冷媒は、ＧＨＰ室外機１０のガス管ジョイント１０ｂを経由して第一ガス管５２に流入し、さらに第一ガス管５２（第三接続配管）から第二ガス管５４（第四接続配管）に流入する。第二ガス管５４内の冷媒は、ＥＨＰ室外機３０のガス管ジョイント３０ｂを経由してＥＨＰ室外機３０内のＥＨＰ第六配管３５ｆに流入し、さらにＥＨＰ第六配管３５ｆからＥＨＰ四方弁３６に入る。同時除霜運転時にはＥＨＰ四方弁３６の切替状態は冷房時接続状態であり、ＥＨＰ四方弁３６にてＥＨＰ第六配管３５ｆがＥＨＰ第四配管３５ｄに接続されているから、ＥＨＰ第六配管３５ｆからＥＨＰ四方弁３６に流入した冷媒は、ＥＨＰ四方弁３６からＥＨＰ第四配管３５ｄに流れる。そして、ＥＨＰ第四配管３５ｄからＥＨＰアキュムレータ３８に冷媒が供給される。
【００９４】
ＥＨＰアキュムレータ３８では供給された冷媒が気液分離される。そして、低温低圧のガス冷媒のみがＥＨＰアキュムレータ３８からＥＨＰ第五配管３５ｅに流出される。ＥＨＰアキュムレータ３８からＥＨＰ第五配管３５ｅに流出した冷媒がＥＨＰコンプレッサ３２の第二吸入口３２ａに帰還する。
【００９５】
このように、同時除霜運転時にＥＨＰ室外熱交換器３３に高温高圧のガス冷媒が供給されることにより、ＥＨＰ室外熱交換器１３が除霜される。また、ＥＨＰ室外熱交換器３３を流れた冷媒も、ＧＨＰ室外熱交換器１３を流れた冷媒とともにサブ熱交換器１９で加熱される。このため、より高い温度の冷媒をＥＨＰ室外熱交換器３３に供給することができる。これにより、ＥＨＰ室外熱交換器１３の除霜を促進することができる。図５は、同時除霜運転時における冷媒の流れが示された、空気調和装置１の概略図である。図５において、ＧＨＰコンプレッサ１２から吐出された冷媒の流れが実線の矢印により示され、ＥＨＰコンプレッサ３２から吐出された冷媒の流れが破線の矢印により示される。
【００９６】
制御装置６０は、Ｓ３５にて同時除霜運転処理を実行した後に、Ｓ３６に処理を進めて、ＧＨＰ室外機１０（ＧＨＰ室外熱交換器１３）の除霜の終了条件が成立したか否かを判断する。この除霜終了条件として、例えば、同時除霜運転時にＧＨＰ室外熱交換器１３に流入する冷媒の温度（すなわちＧＨＰ第二配管１５ｂを流れる冷媒の温度）が、除霜が完了したとみなされる温度として予め定められた温度以上であること、同時除霜運転時にＧＨＰ室外熱交換器１３から流出する冷媒の温度（すなわちＧＨＰ第三配管１５ｃを流れる冷媒の温度）が、除霜が完了したとみなされる温度として予め定められた温度以上であること、同時除霜運転時にＧＨＰ室外熱交換器１３内を流れる冷媒の温度が、除霜が完了したとみなされる温度として予め定められた温度以上であること、のいずれかを選択することができる。
【００９７】
なお、ＧＨＰ室外機１０はサブ熱交換器１９を備えているので、暖房運転時にＧＨＰ室外熱交換器１３に流入する冷媒は、適宜、サブ熱交換器１９により加熱される。そのため、暖房運転時にＧＨＰ室外熱交換器１３に流入する冷媒は、暖房運転時にＥＨＰ室外熱交換器３３に流入する冷媒よりも暖かい。よって、ＧＨＰ室外熱交換器１３はＥＨＰ室外熱交換器３３に比べて着霜し難く、また、着霜した場合であっても除霜されやすい。このような理由から、同時除霜運転処理が実行された場合、通常は、ＧＨＰ室外熱交換器１３の除霜がＥＨＰ室外熱交換器３３の除霜よりも先に完了する。つまり、Ｓ３６の判定結果がＹｅｓとされた時点では、ＥＨＰ室外熱交換器３３の除霜が完了していない可能性が高い。
【００９８】
Ｓ３６にてＧＨＰ室外機１０（ＧＨＰ室外熱交換器１３）の除霜終了条件が成立していないと判断した場合（Ｓ３６：Ｎｏ）、制御装置６０は、同時除霜運転処理の実行を継続しつつ（すなわち同時除霜運転を継続しつつ）、Ｓ３６の判定を繰り返す。一方、Ｓ３６にてＧＨＰ室外機１０（ＧＨＰ室外熱交換器１３）の除霜終了条件が成立したと判断した場合（Ｓ３６：Ｙｅｓ）、制御装置６０は、Ｓ３７に処理を進めて、ホットガスバイパス弁２１に開作動信号を出力する。これにより、ホットガスバイパス弁２１が開く。Ｓ３７の処理の実行により、ホットガスバイパス弁２１が開いた状態で、同時除霜運転がなされる。なお、Ｓ３７の処理の実行時点では、ＥＨＰ室外熱交換器３３の除霜が完了されていないと考えられる。つまり、Ｓ３７の処理は、ＥＨＰ室外熱交換器３３の除霜が完了していない場合にホットガスバイパス弁２１を開弁作動させる処理である。Ｓ３７の処理が、本発明のホットガスバイパス弁開弁処理に相当する。
【００９９】
ホットガスバイパス弁２１が開いた状態で同時除霜運転がなされた場合、ＧＨＰコンプレッサ１２から吐出された高温高圧のガス冷媒の一部が、ホットガスバイパス配管１５ｈを通ってＧＨＰ第四配管１５ｄに流れる。ホットガスバイパス配管１５ｈを通ってＧＨＰ第四配管１５ｄに流れた冷媒は、ＧＨＰアキュムレータ１８、ＧＨＰ第五配管１５ｅを経由して、ＧＨＰ室外熱交換器１３及びサブ熱交換器１９を通ることなくＧＨＰコンプレッサ１２の第一吸入口１２ａに吸入される。このため、ＧＨＰコンプレッサ１２からサブ熱交換器１９に供給される冷媒の流量が減少する。ＧＨＰコンプレッサ１２からサブ熱交換器１９に供給される冷媒の流量が減少すると、ＥＨＰコンプレッサ３２からサブ熱交換器１９に供給される冷媒の流量が相対的に増加する。これにより、サブ熱交換器１９にてＥＨＰコンプレッサ３２から吐出される冷媒に与えられる熱量が増大し、その結果、ＥＨＰ室外熱交換器３３の除霜がさらに促進される。
【０１００】
制御装置６０は、Ｓ３７にてホットガスバイパス弁を開いた後に、Ｓ３８に処理を進めて、ＥＨＰ室外機３０（ＥＨＰ室外熱交換器３３）の除霜の終了条件が成立したか否かを判断する。この除霜終了条件として、例えば、同時除霜運転時にＥＨＰ室外熱交換器３３に流入する冷媒の温度（すなわちＥＨＰ第二配管３５ｂを流れる冷媒の温度）が、除霜が完了したとみなされる温度として予め定められた温度以上であること、同時除霜運転時にＥＨＰ室外熱交換器３３から流出する冷媒の温度（すなわちＥＨＰ第三配管３５ｃを流れる冷媒の温度）が、除霜が完了したとみなされる温度として予め定められた温度以上であること、同時除霜運転時にＥＨＰ室外熱交換器３３内を流れる冷媒の温度が、除霜が完了したとみなされる温度として予め定められた温度以上であること、のいずれかを選択することができる。
【０１０１】
Ｓ３８にてＥＨＰ室外機３０（ＥＨＰ室外熱交換器３３）の除霜の終了条件が成立していないと判断した場合（Ｓ３８：Ｎｏ）、制御装置６０は、同時除霜運転処理の実行を継続しつつ（すなわちホットガスバイパス弁２１が開いた状態での同時除霜運転を継続しつつ）、Ｓ３８の判定を繰り返す。一方、Ｓ３９にてＥＨＰ室外機３０（ＥＨＰ室外熱交換器３３）の除霜の終了条件が成立したと判断した場合（Ｓ３８：Ｙｅｓ）、制御装置６０は、Ｓ３９に処理を進めて、除霜終了処理を実行する。この除霜終了処理の実行により、ホットガスバイパス弁２１が閉作動するとともに、ＧＨＰ四方弁１６及びＥＨＰ四方弁３６の切替状態が冷房時接続状態から暖房時接続状態に戻される。また、通常の暖房運転時と同じように、空調負荷に応じて、ガスエンジン１１及びモータ３１の回転数、室内機ファン４４の回転数、室内側膨張弁４３の開度、各流量調整弁（２０ａ，２０ｂ，３９）の開度が制御される。その後、制御装置６０は、このルーチンを終了する。
【０１０２】
また、制御装置６０は、図３の除霜準備処理のＳ２５にて単独除霜フラグがＯＮに設定されている場合、単独除霜処理を実行する。この単独除霜処理では、作動しているコンプレッサを有する室外機（以下、運転室外機）に備えられる室外熱交換器の除霜が実行される。まず、運転室外機がＥＨＰ室外機３０である場合の単独除霜処理（ＥＨＰ単独除霜処理）について説明する。
【０１０３】
図６は、制御装置６０が実行するＥＨＰ単独除霜処理ルーチンの流れを示すフローチャートである。このルーチンが起動すると、制御装置６０は、まず、図６のＳ４１にて、ＥＨＰ四方弁３６の切替状態を、暖房時接続状態から冷房時接続状態に変更する。次いで、全室内機ファン４４の回転が停止するように全室内機ファン４４に取り付けられているファンモータに停止信号を出力する（Ｓ４２）。これにより、全室内機ファン４４の駆動が停止する。次いで、全室内側膨張弁４３の開度が、除霜時の熱交換に適した開度（ＥＨＰ単独除霜時開度）となるように、全室内側膨張弁４３の開度を制御する（Ｓ４３）。
【０１０４】
その後、制御装置６０は、ＥＨＰ単独除霜運転処理を実行する（Ｓ４４）。このＥＨＰ単独除霜運転処理では、制御装置６０は、ＧＨＰ第一流量調整弁２０ａ及びＧＨＰ第二流量調整弁２０ｂが閉弁するようにこれらの弁を制御するとともに、ＥＨＰコンプレッサ３２から吐出される冷媒の流量がＥＨＰ室外熱交換器３３の除霜に適した流量となるように、モータ３１を制御する。これにより、ＥＨＰ単独除霜運転が開始される。
【０１０５】
Ｓ４４にてＥＨＰ単独除霜運転処理が実行された場合、ＥＨＰコンプレッサ３２の第二吐出口３２ｂから吐出された冷媒は、上述した冷房運転時にＥＨＰコンプレッサ３２の第二吐出口３２ｂから吐出された冷媒の流れと同じように冷媒回路内を流れる。このためＥＨＰコンプレッサ３２から吐出された高温高圧の冷媒ガスがＥＨＰ室外熱交換器３３に供給される。これにより、ＥＨＰ室外熱交換器３３が除霜される。
【０１０６】
制御装置は、Ｓ４４にてＥＨＰ単独除霜運転処理を実行した後に、ＥＨＰ室外機３０の除霜の終了条件が成立したか否かを判断する（Ｓ４５）。終了条件が成立していない場合（Ｓ４５：Ｎｏ）、制御装置６０は、ＥＨＰ単独除霜運転処理を実行しつつ、Ｓ４５の判定を繰り返す。一方、終了条件が成立した場合（Ｓ４５：Ｙｅｓ）、制御装置６０は、Ｓ４６に処理を進めて、ＥＨＰ単独除霜終了処理を実行する。その後、制御装置６０は、このルーチンを終了する。
【０１０７】
次に、運転室外機がＧＨＰ室外機１０である場合の単独除霜処理（ＧＨＰ単独除霜処理）について説明する。図７は、制御装置６０が実行するＧＨＰ室外機１０の単独除霜処理ルーチンの流れを示すフローチャートである。このルーチンが起動すると、制御装置６０は、まず、図７のＳ５１にて、ＧＨＰ四方弁１６の切替状態を、暖房時接続状態から冷房時接続状態に変更する。次いで、全室内機ファン４４の回転が停止するように全室内機ファン４４に取り付けられているファンモータに停止信号を出力する（Ｓ５２）。これにより、全室内機ファン４４の駆動が停止する。次いで、全室内側膨張弁４３が全閉状態となるように、全室内側膨張弁４３の開度を制御する（Ｓ５３）。
【０１０８】
その後、制御装置６０は、ＧＨＰ単独除霜運転処理を実行する（Ｓ５４）。このＧＨＰ単独除霜運転処理では、制御装置６０は、ＥＨＰ流量調整弁３９が閉弁するようにこれらの弁を制御するとともに、ＧＨＰコンプレッサ１２から吐出される冷媒の流量がＧＨＰ室外熱交換器１３の除霜に適した流量となるように、ガスエンジン１１を制御する。これにより、ＧＨＰ単独除霜運転が開始される。
【０１０９】
Ｓ５４にてＧＨＰ単独除霜運転処理が実行された場合、ＧＨＰコンプレッサ１２の第一吐出口１２ｂから吐出された冷媒は、上述した同時除霜運転時にＧＨＰコンプレッサ１２の第一吐出口１２ｂから吐出された冷媒の流れと同じように冷媒回路内を流れる。このためＧＨＰコンプレッサ１２から吐出された高温高圧の冷媒ガスがＧＨＰ室外熱交換器１３に供給される。これにより、ＧＨＰ室外熱交換器１３が除霜される。
【０１１０】
制御装置は、Ｓ５４にてＧＨＰ単独除霜運転処理を実行した後に、ＧＨＰ室外機１０の除霜の終了条件が成立したか否かを判断する（Ｓ５５）。終了条件が成立していない場合（Ｓ５５：Ｎｏ）、制御装置６０は、ＧＨＰ単独除霜運転処理を実行しつつ、Ｓ５５の判定を繰り返す。一方、終了条件が成立した場合（Ｓ５５：Ｙｅｓ）、制御装置６０は、Ｓ５６に処理を進めて、ＧＨＰ単独除霜終了処理を実行する。その後、制御装置６０は、このルーチンを終了する。
【０１１１】
以上のように、本実施形態に係る空気調和装置１は、ＧＨＰ室外熱交換器１３とＥＨＰ室外熱交換器３３を、逆サイクル方式により同時に除霜することができるように構成される。また、同時除霜処理において、ＧＨＰコンプレッサ１２から吐出された冷媒のみならず、ＥＨＰコンプレッサ３２から吐出された冷媒もサブ熱交換器１９に供給されて、サブ熱交換器１９にて加熱される。つまり、本実施形態によれば、ＧＨＰ室外熱交換器１３を除霜する場合のみならず、ＥＨＰ室外熱交換器３３を除霜する場合にも、サブ熱交換器１９を用いることができる。このため、ＥＨＰ室外熱交換器３３の除霜が促進される。通常、ＧＨＰ室外熱交換器１３の除霜時間よりも、ＥＨＰ室外熱交換器３３の除霜時間の方が長い。従って、本実施形態に示すようにＥＨＰ室外熱交換器３３の除霜が促進されることにより、除霜時間の短縮化を図ることができる。
【０１１２】
また、本実施形態によれば、同時除霜処理において、ＧＨＰ室外熱交換器１３の除霜が完了し且つＥＨＰ室外熱交換器３３の除霜が完了していない場合に、ホットガスバイパス弁２１が開作動する。これにより、ＧＨＰコンプレッサ１２から吐出された冷媒の一部がサブ熱交換器１９をバイパスする。このため、同時除霜運転時にＧＨＰコンプレッサ１２からサブ熱交換器１９に供給される冷媒の流量が減少する。よって、ＥＨＰコンプレッサからサブ熱交換器に供給される冷媒の流量を相対的に増加させることができる。その結果、ＥＨＰ室外熱交換器３３の除霜をより一層促進することができる。
【０１１３】
なお、サブ熱交換器１９は、通常は、暖房運転時にＧＨＰコンプレッサ１２から吐出された冷媒を加熱するために用いられる。そのため、サブ熱交換器１９は、ＧＨＰコンプレッサ１２から吐出される冷媒の流量に基づいて設計される。しかし、本実施形態における同時除霜運転時には、ＧＨＰコンプレッサ１２から吐出される冷媒とＥＨＰコンプレッサ３２から吐出される冷媒がＧＨＰ第七配管１５ｇにて合流し、合流した冷媒がサブ熱交換器１９に送り込まれる。このため、合流した冷媒の流量が、サブ熱交換器１９に流すことができる冷媒の流量の上限を上回ることがある。この場合、サブ熱交換器１９に流入する前の冷媒が、ＧＨＰ第七配管１５ｇ或いはＧＨＰ室外熱交換器１３に滞留する可能性がある。このようにして冷媒が滞留すると、コンプレッサ（特にＧＨＰコンプレッサ１２）に帰還する冷媒量が減少して、コンプレッサ（特にＧＨＰコンプレッサ１２）に吸入される冷媒の圧力が低圧化し、低圧異常により運転が停止する虞がある。
【０１１４】
この点に関し、本実施形態に係る同時除霜処理においては、ＧＨＰ室外熱交換器１３の除霜完了後であって且つＥＨＰ室外熱交換器３３の除霜完了前に、ホットガスバイパス弁２１を開作動させるので、ＧＨＰコンプレッサ１２から吐出された冷媒の一部がサブ熱交換器１９をバイパスする。このため、同時除霜運転時にサブ熱交換器１９に流入する冷媒流量がサブ熱交換器１９から流出する冷媒流量に見合うように、冷媒の流量を調節することができる。その結果、上記したような低圧異常を回避することができる。
【０１１５】
また、本実施形態に係る同時除霜処理においては、同時除霜運転処理（Ｓ３５）の実行前に、ホットガスバイパス弁２１が閉弁される（Ｓ３４）。従って、同時除霜運転の開始時にホットガスバイパス弁２１が閉じている。このためＧＨＰコンプレッサ１２から吐出された冷媒がサブ熱交換器１９をバイパスすることなく効率的にサブ熱交換器１９に送り込まれる。これにより、ＧＨＰ室外熱交換器１３の除霜を促進することができる。ここで、ホットガスバイパス弁２１が閉じている場合、上述したように、サブ熱交換器１９に流入しようとする冷媒の流量とサブ熱交換器１９から流出する冷媒の流量との流量バランスが崩れて、低圧異常を引き起こす虞があるが、ＧＨＰ室外熱交換器１３の除霜時間はＥＨＰ室外熱交換器３３の除霜時間と比較してかなり短い。従って、低圧異常が発生する前にＧＨＰ室外熱交換器１３の除霜が完了すると考えられる。そして、ＧＨＰ室外熱交換器１３の除霜が完了した後は、ホットガスバイパス弁２１が開くことにより、サブ熱交換器１９に流出入する冷媒の流量バランスが調整される。これにより低圧異常を回避することができるとともに、ＥＨＰ室外熱交換器３３の除霜がより一層促進されて、同時除霜処理における除霜時間の短縮化を図ることができる。
【０１１６】
以上、本発明の実施形態について説明したが、本発明は、上記実施形態に限定されるべきものではない。例えば、上記実施形態では、１台のＧＨＰ室外機１０と１台のＥＨＰ室外機３０を備える空気調和装置１を例示したが、１台以上のＧＨＰ室外熱交換器と１台以上のＥＨＰ室外熱交換器を備える空気調和装置に本発明を適用することができる。また、上記実施形態では、ＧＨＰコンプレッサ１２がガスエンジン１１の駆動により作動する例について説明したが、ガスエンジン１１に代えて、ガソリンエンジンや、その他の内燃機関を用いることができる。また、上記実施形態では、同時除霜処理において、同時除霜運転の開始時にホットガスバイパス弁２１が閉じている例について説明したが、同時除霜運転時に常にホットガスバイパス弁２１を開いておいてもよい。このように、本発明は、その趣旨を逸脱しない限りにおいて、変形可能である。
【符号の説明】
【０１１７】
１…空気調和装置、１０…ＧＨＰ室外機、１０ａ…液管ジョイント、１０ｂ…ガス管ジョイント、１１…ガスエンジン（内燃機関）、１１ａ…出力軸、１２…ＧＨＰコンプレッサ、１２ａ…第一吸入口、１２ｂ…第一吐出口、１３…ＧＨＰ室外熱交換器、１５ａ…ＧＨＰ第一配管、１５ｂ…ＧＨＰ第二配管、１５ｃ…ＧＨＰ第三配管（第一接続配管）、１５ｄ…ＧＨＰ第四配管（第三接続配管）、１５ｅ…ＧＨＰ第五配管（第三接続配管）、１５ｆ…ＧＨＰ第六配管（第三接続配管）、１５ｇ…ＧＨＰ第七配管（サブ配管）、１５ｈ…ホットガスバイパス配管、１６…ＧＨＰ四方弁（第一切替弁）、１６１…第一ポート、１６２…第二ポート、１６３…第三ポート、１６４…第四ポート、１７…ＧＨＰ室外機ファン、１８…ＧＨＰアキュムレータ、１９…サブ熱交換器、２０…流量調整弁、２１…ホットガスバイパス弁、３０…ＥＨＰ室外機、３０ａ…液管ジョイント、３０ｂ…ガス管ジョイント、３１…モータ（電動機）、３１ａ…出力軸、３２…ＥＨＰコンプレッサ、３２ａ…第二吸入口、３２ｂ…第二吐出口、３３…ＥＨＰ室外熱交換器、３５ａ…ＥＨＰ第一配管、３５ｂ…ＥＨＰ第二配管、３５ｃ…ＥＨＰ第三配管（第二接続配管）、３５ｄ…ＥＨＰ第四配管（第四接続配管）、３５ｅ…ＥＨＰ第五配管（第四接続配管）、３５ｆ…ＥＨＰ第六配管（第四接続配管）、３６…ＥＨＰ四方弁（第二切替弁）、３６１…第一ポート、３６２…第二ポート、３６３…第三ポート、３６４…第四ポート、３７…ＥＨＰ室外機ファン、３８…ＥＨＰアキュムレータ、４０…室内機、４０ａ…液管ジョイント、４０ｂ…ガス管ジョイント、４１，４１Ａ，４１Ｂ，４１Ｃ…室内熱交換器、４２ａ…室内側第一配管（第一接続配管）、４２ｂ…室内側第二配管（第三接続配管）、４３…室内側膨張弁、４４…室内機ファン、５１…第一液管（第一接続配管）、５２…第一ガス管（第三接続配管）、５３…第二液管（第二接続配管）、５４…第二ガス管（第四接続配管）、６０…制御装置、Ｓ３１…接続状態切替処理、Ｓ３３…膨張弁全閉処理、Ｓ３４…ホットガスバイパス弁閉弁処理、Ｓ３５…同時除霜運転処理、Ｓ３７…ホットガスバイパス弁開弁処理
【図１】
2019027632.tif 000003
【図２】
2019027632.tif 000004
【図３】
2019027632.tif 000005
【図４】
2019027632.tif 000006
【図５】
2019027632.tif 000007
【図６】
2019027632.tif 000008
【図７】
2019027632.tif 000009